(57)【特許請求の範囲】
【請求項１】
キャリア割付に利用される予定計画情報をアクセス・ネットワークへ伝送することと、
前記予定計画情報に関連してアクセス端末に割当てられたキャリアの数を標示する割当メッセージを受取ることを備え、
前記予定計画情報は逆方向回線上の干渉の量及び前記アクセス端末の位置を含む、マルチ-キャリア通信のための方法。
【請求項２】
キャリア割付に利用される予定計画情報をアクセス・ネットワークへ伝送するための手段と、
前記予定計画情報に関連して前記アクセス端末に割当てられたキャリアの数を標示する割当メッセージを受取るための手段と、
を備え、
前記予定計画情報は逆方向回線上の干渉の量及び前記アクセス端末の位置を含む、マルチ-キャリア通信に適応した装置。
【発明の詳細な説明】
【関連出願】
【０００１】
３５Ｕ．Ｓ．Ｃ．§１１９における優先権主張
この特許出願は２００５年９月２７日に出願され、「マルチ-キャリア無線通信システムにおける場所に基づくキャリア割付（Location-based Carrier Allocation in a Multi-carrier Wireless Communication System）」と題する仮特許出願番号第６０／７２１，３４３号に対する優先権を主張し、それはこの譲請人に譲渡され、且つこれによってここに参照によって特に組込まれている。
【０００２】
関連出願への相互参照
この特許出願は２００６年３月７日に出願され、「通信システムに対するマルチ-キャリア、マルチ-フロー逆方向回線媒体アクセス制御（Multi-carrier, Multi-flow, Reverse Link Medium Access Control For a Communication System）」と題する米国特許出願番号第１１／３７１，２７４号に関連し、それは２００５年３月８日に出願され、「通信システムに対するマルチ-キャリア、マルチ-フロー逆方向回線媒体アクセス制御（Multi-carrier, Multi-flow Reverse Link Medium Access Control For a Communication System）」に対して３５Ｕ．Ｓ．Ｃ．§１１９における優先権を主張する。
【技術分野】
【０００３】
この開示は一般に無線通信システムに関係する。特に、ここに開示された実施例はマルチ-キャリア通信システムにおけるキャリア割付け及び管理に関係する。
【背景技術】
【０００４】
通信システムは発信局から物理的に異なる目的局への情報信号の伝送を可能にするために開発されてきた。発信局からの情報信号を通信チャネル上で伝送する際、情報信号は最初に通信チャネル上で効率的な伝送に適した形に変換される。情報信号の変換、または変調はその結果生じる変調キャリアのスペクトルが通信チャネル帯域幅内に制限されるように情報信号に従ってキャリア波のパラメータを変えることを含む。目的局では、元の情報信号が通信チャネル上で受信された変調キャリア波から再現される。そのような再現は一般に発信局によって使用された変調処理の逆を使用することによって達成される。
【０００５】
変調はまた共通通信チャネル上におけるいくつかの信号の多元アクセス、例えば、同時伝送及び／または受信を容易にする。例えば、多元アクセス通信システムは共通通信チャネルへの連続アクセスではなく断続サービスを必要とする複数の遠隔加入者ユニット（或いはアクセス端末）を含む。多元アクセス技術は符号分割多元アクセス（ＣＤＭＡ）、時分割多元アクセス（ＴＤＭＡ）、周波数分割多元アクセス（ＦＤＭＡ）、直交周波数分割多元アクセス（ＯＦＤＭＡ）、及び他の多元アクセス技術を含む。
【０００６】
多元アクセス通信システムは無線及び／または有線であり、そして音声、データ等を搬送する。通信システムは一以上の規格を実施するように設計されている。
【０００７】
マルチ-メディア・サービス及び高速伝送データに対する要求が急速に増大するにつれ、マルチ-キャリア変調が無線通信システムにおいて提案されてきた。効率的、且つ強固なマルチ-キャリア通信システムを提供する挑戦がそこにある。
【図面の簡単な説明】
【０００８】
【図１】多数のユーザーを支援し、そしてここに論じた実施例の少なくともいくつかの形態を実施することが可能な通信システムの例を例示する。
【図２】高速データ通信システムにおけるアクセス・ネットワーク及びアクセス端末を例示するブロック図である。
【図３】アクセス端末上のスタック層を例示するブロック図である。
【図４】アクセス端末上の高位層、中間アクセス制御層、及び物理層の間の典型的な相互作用を例示するブロック図である。
【図５Ａ】アクセス・ネットワークに送られる高容量パケットを例示するブロック図である。
【図５Ｂ】アクセス・ネットワークに送られる低待ち時間パケットを例示するブロック図である。
【図６】アクセス・ネットワーク上に存在する異なる形式のフローを例示するブロック図である。
【図７】高容量パケットに関する典型的なフロー集合を例示するブロック図である。
【図８】低待ち時間パケットに関する典型的なフロー集合を例示するブロック図である。
【図９】高容量フローが低待ち時間パケットのフロー集合に含まれるかどうかを決定するためにアクセス端末に保持される情報を例示するブロック図である。
【図１０】セクタ内のアクセス・ネットワーク及び複数のアクセス端末を例示するブロック図である。
【図１１】アクセス端末のための利用可能な全電力を決定するために使用される典型的な機構を例示する。
【図１２】セクタ内の少なくともいくつかのアクセス端末が多数のフローを含む実施例を例示するブロック図である。
【図１３】アクセス端末がアクセス端末上のフローについて現在の電力割付けを取得する一つの方法を例示するブロック図である。
【図１４】セクタ内でアクセス・ネットワークからアクセス端末に伝送される逆方向稼働ビットを例示するブロック図である。
【図１５】アクセス端末上の一以上のフローについて現在の電力割付けを決定するためにアクセス端末において保持される情報を例示するブロック図である。
【図１６】逆方向稼働ビットの推定及びセクタの現在の装填レベルの推定を決定するために使用されるアクセス端末における典型的な機能的要素を例示する機能ブロック図である。
【図１７】アクセス端末上のフローについて現在の電力割付けを決定する典型的な方法を例示するフローチャートである 。
【図１８】要求メッセージをアクセス・ネットワーク上のスケジューラへ送るアクセス端末を例示するブロック図である。
【図１９】アクセス端末が要求メッセージをアクセス・ネットワークへ送る時を決定するためにアクセス端末に保持される情報を例示するブロック図である。
【図２０】セクタ内のアクセス・ネットワーク上で稼働するスケジューラとアクセス端末との間の典型的な相互作用を例示するブロック図である。
【図２１】アクセス・ネットワーク上で稼働するスケジューラとアクセス端末との間の別の典型的な相互作用を例示するブロック図である。
【図２２】アクセス・ネットワーク上のスケジューラからアクセス端末へ伝送される承諾メッセージの別の実施例を例示するブロック図である。
【図２３】アクセス端末に記憶される電力プロフィールを例示するブロック図である。
【図２４】アクセス端末に記憶される複数の伝送状態を例示するブロック図である。
【図２５】パケットに関するペイロード・サイズ及び電力レベルを決定するためにアクセス端末が実行する典型的な方法を例示するフローチャートである。
【図２６】アクセス端末の実施例を例示する機能ブロック図である。
【図２７】各ＭＡＣ層フローについて二つのトークン・バケツの個別集合を使用することによってアクセス端末において整理するフロー・データからフロー・アクセス制御を切り離す例を例示する。
【図２８】ＲＴＣ ＭＡＣ層においてフロー・データを整理するとき実行されるステップを例示するフローチャートである。
【図２９】アクセス・ネットワーク上のスケジューラへキャリア要求メッセージを送り、且つキャリア承諾メッセージを受取るアクセス端末を例示するブロック図である。
【図３０】マルチ-キャリア通信におけるキャリア割付け及び管理の一例を例示する呼出フローチャートを示す。
【図３１】マルチ-キャリア通信におけるキャリア割付け及び管理の一例を例示する呼出フローチャートを示す。
【図３２】マルチ-キャリア通信におけるキャリア割付け及び管理の一例を例示する呼出フローチャートを示す。
【図３３】マルチ-キャリア通信におけるキャリア割付け及び管理の一例を例示する呼出フローチャートを示す。
【図３４】マルチ-キャリア通信におけるキャリア割付け及び管理の一例を例示する呼出フローチャートを示す。
【図３５】いくつかの開示された実施例を実施するために使用されるブロック図を例示する。
【図３６】いくつかの開示された実施例を実施するために使用されるブロック図を例示する。
【発明を実施するための形態】
【０００９】
詳細な説明
ここに開示された実施例は通信システムにおけるキャリア割付け及び管理のための装置及び方法に関係する。
【００１０】
ここに開示されたアクセス点（access point：ＡＰ）は基地局送受信器システム（ＢＴＳ）、アクセス・ネットワーク送受信器（ＡＮＴ）、モデム・プール送受信器（ＭＰＴ）、または（例えば、Ｗ-ＣＤＭＡにおける）ノードＢ、等々の機能を含み、且つ／または実施する。セルはＡＰによってサービスされる通信可能区域（coverage area）を云う。セルはさらに一以上のセクタを含む。簡単及び明確にするために、用語「セクタ」はＡＰによってサービスされるセル、またはセルの一部を参照するためにここに使用される。さらに、アクセス・ネットワーク制御器（ＡＮＣ）はコア・ネットワーク（例えば、パケット・データ・ネットワーク）と相互接続し、且つアクセス端末（ＡＴ）とコア・ネットワークとの間でデータ・パケットを経路指定するために構成された通信システムの一部を云い、様々な無線アクセス及び回線維持機能（例えば、ソフト・ハンドオフなど）を実行し、無線送信器及び受信器を制御する、等々。ＡＮＣは、例えば、第二、第三、または第四世代無線ネットワークにおいて見出されるように、基地局制御器（ＢＳＣ）の機能を含み、且つ／または実施する。ＡＮＣ及び一以上のＡＰはアクセス・ネットワーク（ＡＮ）の一部を構成する。
【００１１】
ここに述べるアクセス端末は無線電話、セルラー電話、ラップトップ・コンピュータ、マルチメディア無線デバイス、無線通信パーソナル・コンピュータ（ＰＣ）カード、携帯情報機器（ＰＤＡ）、外部または内部モデム、等々を含む、様々な形式のデバイスを云う。ＡＴは無線チャネルを介して、且つ／または有線チャネルを介して（例えば、光ファイバまたは同軸ケーブルによって）通信するいずれかのデータ・デバイスである。ＡＴは、アクセス・ユニット、アクセス・ノード、加入者ユニット、移動局、移動ユニット、携帯電話、移動体、遠隔局、遠隔端末、遠隔ユニット、ユーザー・デバイス、ユーザー機器、携帯用デバイス、等々といった様々な名称を持つ。別のＡＴはシステムに組込まれる。ＡＴは移動可能、或いは固定であり、そして通信システムの至る所に分散される。ＡＴは順方向回線上で一以上のＡＰと通信し、且つ／またはある時には逆方向回線上で通信する。順方向回線（または下り回線）はＡＰからＡＴへの伝送を云う。逆方向回線（または上り回線）はＡＴからＡＰへの伝送を云う。
【００１２】
図１は多数のユーザーを支援するために構成された無線通信システム１００であり、その中において様々な開示の実施例及び形態がさらに下記で述べるように実施される。一例として、システム１００はセル１０２Ａ〜１０２Ｇを含む、いくつかのセル１０２に関して通信を提供し、各セルは対応するＡＰ １０４（例えば、ＡＰ １０４Ａ〜１０４Ｇ）によるサービスを受ける。各セルはさらに一以上のセクタに分割される。ＡＴ １０６Ａ〜１０６Ｋを含む、様々なＡＴ １０６はシステムの至る所に分散される。例えば、各ＡＴ １０６はＡＴが稼働しているかどうか、そしてそれがソフト・ハンドオフしているかどうかによって、順方向回線上で、及び／またはある時は逆方向回線上で一以上のＡＰ １０４と通信する。
【００１３】
図１の例において、矢印を持つ実線はＡＰからＡＴへの情報（例えば、データ）伝送を示す。矢印を持つ破線はＡＴがパイロット及び他の信号通信／参照信号（データ伝送ではなく）をＡＰから受信していることを示す。明確且つ簡単にするために、逆方向回線通信は図１には明白に示されない。
【００１４】
ＡＰ １０４は一以上の受信アンテナ、及び一以上の送信アンテナをそれぞれ装備している。ＡＰ １０４において送信アンテナ及び受信アンテナのあらゆる組合せがある。同様に、各ＡＴ １０６は一以上の受信アンテナ及び送信アンテナ、または組合せを装備している。
【００１５】
システム１００は一以上の規格、例えば、ＩＳ-９５、ｃｄｍａ２０００、ＩＳ-８５６、Ｗ-ＣＤＭＡ、ＴＤ-ＳＣＤＭＡ、ＩＥＥＥ ８０２．１１ａ、８０２．１１ｇ、８０２．１１ｎ、８０２．１６ｅ、８０２．２０、他の規格、またはその組合せを支援するように構成される。実施例において、例えば、システム１００は「ｃｄｍａ２０００高伝送速度パケット・データ空中インタフェース仕様（cdma2000 High Rate Packet Data Air Interface Specification）」、３ＧＰＰ２ Ｃ．Ｓ００２４-Ｂ、第１版、２００６年５月（また１ｘＥＶ-ＤＯまたはＩＳ-８５６形式システムとして参照される）に規定されているような、高伝送速度パケット・データ（high rate packet data：ＨＲＰＤ）システムである。さらに、様々なアルゴリズム及び方法がシステム１００における伝送を予定計画し、そして通信を促進するために使用される。１ｘＥＶ-ＤＯシステムに使用されるこれらのアルゴリズム及び方法の詳細は下記でさらに述べる。
【００１６】
図２は通信システムにおけるＡＮ ２０４及びＡＴ ２０６の実施例を例示する。一例として、ＡＴ ２０６はＡＮ ２０４と、例えば、逆方向トラヒック・チャネル２０８を含む逆方向回線上で無線通信している。逆方向トラヒック・チャネル２０８はＡＴ ２０６からＡＮ ２０４へ情報を運ぶ逆方向チャネルの一部分である。逆方向チャネルは逆方向トラヒック・チャネル２０８に加えて他のチャネルを含む。さらに、ＡＴ ２０６は複数のチャネル（例えば、パイロット、トラヒック、及び他のチャネル）を含む順方向回線上のＡＮ ２０４と無線通信している（それは図２には示されない）。
【００１７】
ＡＴ ２０６によって実行される機能はスタック層として体系化されている。図３はＡＴ ３０６上のスタック層を例示する。中間アクセス制御（ＭＡＣ）層３０８は層の間にある。高位層３１０はＭＡＣ層３０８の上に位置する。ＭＡＣ層３０８は逆方向トラヒック・チャネル２０８の動作と関係するサービスを含む、或るサービスを高位層３１０に提供する。ＭＡＣ層３０８は逆方向トラヒック・チャネル（ＲＴＣ）ＭＡＣプロトコル３１４の実施を含む。ＲＴＣ ＭＡＣプロトコル３１４は逆方向トラヒック・チャネル２０８を伝送するためにＡＴ ３０６によって、そして受取るためにＡＮ ２０４によって進められた手続きを行う。
【００１８】
物理層３１２はＭＡＣ層３０８の下方に位置する。ＭＡＣ層３０８は物理層３１２から或るサービスを要求する。これらのサービスはＡＮ ２０４へのパケットの物理的伝送に関係する。
【００１９】
図４はＡＴ ４０６上の高位層４１０、ＭＡＣ層４０８、及び物理層４１２の間の典型的な相互作用を例示する。示したように、ＭＡＣ層４０８は高位層４１０から一以上のフロー４１６を受取る。予定された伝送要求に関して、フロー４１６は所定の伝送要求を持つ（例えば、特別なアプリケーションと関連する）、ユーザー源からのデータの流れである。例えば、フロー４１６はＩＰ上の音声（ＶｏＩＰ）、ビデオ電話通信、ファイル転送プロトコル（ＦＴＰ）、ゲーム遊びといった、特定のアプリケーションに対応する。
【００２０】
ＡＴ ４０６上のフロー４１６からのデータはパケットにおいてＡＮ ２０４に伝送される。ＲＴＣ ＭＡＣプロトコル４１４に従って、ＭＡＣ層は各パケットに関するフロー集合４１８を決定する。時々、ＡＴ ４０６上の多数のフロー４１６は同時に伝送すべきデータを有する。パケットは一以上のフロー４１６からのデータを含む。しかしながら、時々、伝送すべきデータを持つが、パケットに含まれないＡＴ ４０６上の一以上のフロー４１６がある。パケットのフロー集合はそのパケットに含まれるべきＡＴ ４０６上のフロー４１６を指示する。パケットのフロー集合４１８を決定する典型的な方法は下記で述べるであろう。
【００２１】
ＭＡＣ層４０８はまた各パケットのペイロード・サイズ４２０を決定する。パケットのペイロード・サイズ４２０はフロー集合４１８からどのくらいのデータがパケットに含まれるかを示す。
【００２２】
ＭＡＣ層４０８はまたパケットの電力レベル４２２を決定する。いくつかの実施例において、パケットの電力レベル４２２は逆方向パイロット・チャネルの電力レベルと比較して決定される。
【００２３】
ＡＮ ２０４に伝送される各パケットについて、ＭＡＣ層４０８はパケットに含まれるべきフロー集合４１８、パケットのペイロード・サイズ４２０、及びパケットの電力レベル４２２を物理層４１２へ通信する。物理層４１２はそれからＭＡＣ層４０８によって提供された情報に従ってＡＮ ２０４へのパケットの伝送を行う。
【００２４】
図５Ａ及び５ＢはＡＴ ５０６からＡＮ ５０４へ伝送されるパケット５２４を例示する。パケット５２４はいくつかの可能な伝送モード（ＴＭ）のうちの一つで伝送される。例えば、いくつかの実施例において、二つの可能な伝送モード、高容量伝送モード及び低待ち時間伝送モードがある。図５ＡはＡＮ ５０４へ伝送される高容量パケット５２４ａ（即ち、高容量モードで伝送されるパケット５２４ａ）を例示する。図５ＢはＡＮ ５０４へ伝送される低待ち時間パケット５２４ｂ（即ち、低待ち時間伝送モードで伝送されるパケット５２４ｂ）を例示する。
【００２５】
遅延に敏感なフロー（ＬｏＬａｔフロー）からのデータは低待ち時間（ＬｏＬａｔ）伝送モードを使用して送られる。遅延耐性フロー（ＨｉＣａｐフロー）からのデータは高容量（ＥＱＣａｐ）伝送モードを使用して送られる。低待ち時間パケット５２４ｂは同じパケット・サイズの高容量パケット５２４ａより高い電力レベル４２２で送られる。従って、低待ち時間パケット５２４ｂが高容量パケット５２４ａよりＡＮ ５０４に迅速に到達することはあり得ることである。しかしながら、低待ち時間パケット５２４ｂは高容量パケット５２４ａよりシステム１００上でさらに多くの負荷をもたらす。
【００２６】
図６はＡＴ ６０６上に存在する異なる形式のフロー６１６を例示する。いくつかの実施例において、ＡＴ ６０６上の各フロー６１６は特定の伝送モードと関連する。可能な伝送モードが高容量伝送モード及び低待ち時間伝送モードである場合、ＡＴ ６０６は一以上の高容量フロー６１６ａ及び／または一以上の低待ち時間フロー６１６ｂを含む。高容量フロー６１６ａは高容量パケット５２４ａで伝送されることが望ましい。低待ち時間フロー６１６ｂは低待ち時間パケット５２４ｂで伝送されることが望ましい。
【００２７】
図７は高容量パケット７２４ａのためのフロー集合７１８の一例を例示する。いくつかの実施例において、伝送すべきデータを持つ全てのフロー７１６が高容量フロー７１６ａである場合にのみ、パケット７２４ａは高容量モードで送られる。従って、そのような実施例において、高容量パケット７２４ａのみにおけるフロー集合７１８は高容量フロー７１６ａを含む。代りに、低待ち時間フロー６１６ｂはＡＴ ６０６の裁量で、高容量パケット７２４ａに含まれる。これを行う一つの典型的な理由は低待ち時間フロー６１６ｂが十分な処理能力を得ていない時である。例えば、低待ち時間フロー６１６ｂの列が増大しつつあることが検知されるであろう。フローは待ち時間の増加を犠牲にして代りに高容量モードを使用することによって処理能力を改善する。
【００２８】
図８は低待ち時間パケット８２４ｂのための典型的なフロー集合８１８を例示する。いくつかの実施例において、伝送すべきデータを持つ少なくとも一つの低待ち時間フロー８１６ｂがあれば、パケット８２４ｂは低待ち時間モードで伝送される。低待ち時間パケット８２４ｂにおけるフロー集合８１８は伝送すべきデータを持つ各低待ち時間フロー８１６ｂを含む。伝送すべきデータを持つ一以上の高容量フロー８１６ａはまたフロー集合８１８に含まれる。しかしながら、伝送すべきデータを持つ一以上の高容量フロー８１６ａはフロー集合８１８に含まれない。
【００２９】
各逆方向回線キャリアにおける物理層パケットにおいて同時発生の低待ち時間及び高容量フローを結合すること
ＡＴ ９０６が異なる終了目標の多数のフローを含むとき、結合（merging）が起こる。各物理パケットは一つの終了目標を持っているので、フローが同じパケットに結合される時を決定するために基準（rules）が使用される。同時発生の低待ち時間及び高容量フローをパケットに結合するための規則はフロー優先度及びセクタ負荷に依存する。図９は高容量フロー９１６ａが低待ち時間パケット８２４ｂのフロー集合８１８に含まれるかどうかを決定するためにＡＴ ９０６に保持される情報を例示する。ＡＴ ９０６上の各高容量フロー９１６ａは伝送に利用可能である或る量のデータ９２６を持つ。同じく、結合閾値９２８はＡＴ ９０６上の各高容量フロー９１６ａについて定義される。その上、結合閾値９３０は全体としてＡＴ ９０６について定義される。最終的に、高容量フローの結合はセクタの負荷レベルの推定が閾値より少ないとき発生する。（セクタの負荷レベルの推定が如何に決定されるかについては下記で論じる。）すなわち、セクタが十分に軽く負荷されているとき、結合の効率損失は重要ではなく、そして積極的な利用が許容される。
【００３０】
いくつかの実施例において、二つの条件のいずれかが満足されれば、高容量フロー９１６ａは低待ち時間パケット５２４ｂに含まれる。第一の条件はＡＴ ９０６上の全ての高容量フロー９１６ａに関する伝送可能データ９２６の合計がＡＴ ９０６について定義される結合閾値９３０を越えることである。第二の条件は高容量フロー９１６ａに関する伝送可能データ９２６が高容量フロー９１６ａについて定義される結合閾値９３０を越えることである。
【００３１】
第一の条件は低待ち時間パケット８２４ｂから高容量パケット７２４ａへの電力転移に関係する。高容量フロー９１６ａが低待ち時間パケット８２４ｂに含まれていなければ、高容量フロー９１６ａからのデータは少なくとも一つの低待ち時間フロー８１６ｂからの伝送のために利用可能なデータがある限り増大する。高容量フロー９１６ａからの余りにも多くのデータが累積されることを許容されれば、パケット７２４ａが伝送される次の時、最後の低待ち時間パケット８２４ｂから高容量パケット７２４ａへ受容しがたい程激しい電力転移がある。従って、第一の条件に従って、一旦ＡＴ ９０６上の高容量フロー９１６ａからの伝送可能なデータ９２６の量が（結合閾値９３０によって定義された）或る値を越えると、高容量フロー９１６ａから低待ち時間パケットへのデータの「結合（merging）」が許容される。
【００３２】
第二の条件は９０６上の高容量フロー９１６ａに関するサービス品質（ＱｏＳ）要件に関係する。高容量フロー９１６ａに関する結合閾値９２８が非常に大きな値に設定されるならば、これは高容量フロー９１６ａがかって低待ち時間パケット８２４ｂに含まれていたとすれば稀であることを意味する。従って、そのような高容量フロー９１６ａは伝送遅延を受ける。なぜなら、それは伝送すべきデータを持つ少なくとも一つの低待ち時間フロー８１６ｂがあるときはいつも伝送されないからである。逆に、高容量フロー９１６ａに関する結合閾値９２８が非常に小さな値に設定されるならば、これは高容量フロー９１６ａが低待ち時間パケット８２４ｂに殆ど常に含まれることを意味する。従って、そのような高容量フロー９１６ａは伝送遅延を殆ど受けない。しかしながら、そのような高容量フロー９１６ａはそれらのデータを伝送するためにさらに多くのセクタ資源を使い果たす。
【００３３】
いくつかの実施例において、ＡＴ ９０６上のいくつかの高容量フロー９１６ａに関する結合閾値９２８は非常に大きな値に設定され、一方、ＡＴ ９０６上の他のいくつかの高容量フロー９１６ａに関する結合閾値９２８は非常に小さい結合閾値９２８に設定される。いくつかの形式の高容量フロー９１６ａは厳密なＱｏＳ要件を持っており、一方、他のものはそうでないかもしれないので、そのような設計が有利である。厳密なＱｏＳ要件を持ち、そして高容量モードで送られるフロー９１６の一例は実時間ビデオである。実時間ビデオは高い帯域幅要件を持っており、それは低待ち時間モードにおける伝送にとってそれを非能率的にする。しかしながら、随意の伝送遅延は実時間ビデオにとって望ましくない。厳密なＱｏＳ遅延要件を持たず、そして高容量モードで伝送されるフロー９１６の一例は最善努力フロー９１６である。
【００３４】
所与の逆方向回線キャリアにおけるパケットの電力レベルを設定すること
図１０はセクタ１０３２内のＡＮ １００４及び複数のＡＴ １００６を例示する。セクタ１０３２はＡＮ １００４からの信号がＡＴ １００６によって受取られる地理的領域であり、逆も同じである。
【００３５】
いくつかの無線通信システムの一つの特質は、 ＣＤＭＡシステムのように、伝送が相互に干渉することである。従って、同じセクタ１０３２内のＡＴ １００６の間にさほど多くの干渉がないことを保証するために、ＡＴ １００６が集合的に使用するＡＮ １００４において受取られた限られた量の電力がある。ＡＴ １００６がこの制限内に留まることを保証するために、或る量の電力１０３４は逆方向トラヒック・チャネル２０８上で伝送のためにセクタ１０３２内の各ＡＴ １００６に利用可能である。各ＡＴ １００６はその全体の利用可能な電力１０３４を越えないためにそれが逆方向トラヒック・チャネル２０８上で伝送するパケット５２４の電力レベル４２２を設定する。
【００３６】
ＡＴ １００６に割付けられる電力レベル１０３４はＡＴ １００６がパケット５２４を逆方向トラヒック・チャネル２０８上で伝送するために使用する電力レベル４２２に必ずしも等しくない。例えば、いくつかの実施例において、ＡＴ １００６がパケット５２４の電力レベル４２２を決定する際選択する一組の個別の電力レベルがある。ＡＴ １００６に関する全体の利用可能な電力１０３４は個別の電力レベルのどれにも必ずしも等しくない。
【００３７】
その時々で使用されない全体の利用可能な電力１０３４はそれが次の時に使用されるように累積することが可能である。このように、そのような実施例において、ＡＴ １００６に関して全体の利用可能な電力１０３４は（大雑把に）現在の電力割付け１０３４ａに累積電力割付け１０３４ｂの少なくともある部分を加えたものに等しい。ＡＴ １００６はそれがＡＴ １００６に関して全体の利用可能な電力１０３４を越えないようにパケット５２４の電力レベル４２２を決定する。
【００３８】
ＡＴ １００６に関する全体の利用可能な電力１０３４はＡＴ １００６の現在の電力割付け１０３４ａにＡＴ １００６の累積電力割付け１０３４ｂを加えたものに常に等しいとは限らない。いくつかの実施例において、ＡＴ １００６の全体の利用可能な電力１０３４はピーク割付け１０３４ｃによって制限される。ＡＴ １００６に関するピーク割付け１０３４ｃはＡＴ １００６に関する現在の電力割付け１０３４ａをいくつかの制限要素によって積算したものに等しい。例えば、制限的要素が２であるならば、ＡＴ １００６のピーク割付け１０３４ｃはその現在の電力割付け１０３４ａの２倍に等しい。いくつかの実施例において、制限要素はＡＴ １００６に関する現在の電力割付け１０３４ａの関数である。
【００３９】
ＡＴ １００６に関するピーク割付け１０３４ｃを提供することはＡＴ １００６の伝送が如何に「突発的（bursty）」であるかを許容することを制限する。例えば、ＡＴ １００６はある時間期間に伝送すべきデータを持っていないことが発生する。この時間期間の間、電力はＡＴ １００６に割付けられ続ける。伝送すべきデータがないので、割付けられた電力は累積される。ある点で、ＡＴ １００６は伝送すべき比較的大量のデータを突然持つ。この点で、累積電力割付け１０３４ｂは比較的大きい。ＡＴ １００６が全体の累積電力割付け１０３４ｂを使用することを許容されたならば、ＡＴ １００６の伝送電力４２２は突然の急速な増加を受ける。しかしながら、ＡＴ １００６の伝送電力４２２があまりにも急速に増加するならば、これはシステム１００の安定性に影響する。従って、ピーク割付け１０３４ｃはこのような状況においてＡＴ １００６の全体の利用可能な電力１０３４を制限するためにＡＴ １００６に提供される。累積電力割付け１０３４ｂがまだ利用可能であるが、ピーク割付け１０３４が制限されるとき、その使用はさらに多くのパケット上に広がることに注目せよ。
【００４０】
単一逆方向回線キャリアにおけるデータ・フローを規制すること
図１１はＡＴ １００６について全体の利用可能な電力１０３４を決定するために使用される典型的な機構を例示する。その機構は仮想的「バケツ（bucket）」１１３６の使用を含む。このＲＬＭＡＣバケツはフロー・アクセスを制御するのと同様にデータ・フローを規制（police）するために各データ・フローのために使用される。アプリケーション・フローによって生成されたデータは最初にデータ領域において調整される。規制（policing）機能はフローによって利用される平均及びピーク資源が限界を下回っているか等しいことを保証する。規制データ・フローは次の方法を使用して動作する。定期的間隔で、新しい現在の電力割付け１０３４ａはバケツ１１３６に加えられる。同じく定期的間隔で、ＡＴ １００６によって伝送されるパケット５２４の電力レベル４２２はバケツ１１３６から出ていく。現在の電力割付け１０３４ａがパケットの電力レベル４２２を越える量は累積電力割付け１０３４ｂである。累積電力割付け１０３４ｂはそれが使用されるまでバケツ１１３６に留まる。
【００４１】
利用可能な全体電力１０３４から現在の電力割付け１０３４ａを差し引いたものはバケツ１１３６からの全体の可能な引き出しである。ＡＴ １００６はそれが伝送するパケット５２４の電力レベル４２２がＡＴ １００６に関する全体の利用可能な電力１０３４を越えないことを保証する。以前に示したように、いくつかの状況の下では、全体の利用可能な電力１０３４は現在の電力割付け１０３４ａと累積電力割付け１０３４ｂの合計より少ない。例えば、全体の利用可能な電力１０３４はピーク電力割付け１０３４ｃによって制限される。
【００４２】
累積電力割付け１０３４ｂは飽和レベル１１３５によって制限される。いくつかの実施例において、飽和レベル１１３５はＡＴ １００６がそのピーク電力割付け１０３４ｃを利用することを許容される時間の量の関数である。飽和レベル１１３５を超過したバケツ１１３６は三つの理由の一つによる過剰割付けを示す：ｉ）ＰＡの上部空間またはデータが制限する、ｉｉ）Ｔ２ＰＩｎｆｌｏｗはＡＮ １００４制御最小値まで減衰する、またはｉｉｉ）Ｔ２ＰＦｌｏｗはフローがもはや過剰割付けられないとき増加し始める。Ｔ２ＰＩｎｆｌｏｗはフローに現在割付けられるネットワークにおける資源レベルとして定義される。このように、Ｔ２ＰＩｎｆｌｏｗ＝新しい資源インフロー（ＡＮ １００４割当てフロー優先度に基づく長期間Ｔ２Ｐ資源）である。
【００４３】
各逆方向回線キャリアにおいてＡＴ １２０６と関連する多フロー間に資源を割付けることによるフロー・アクセス制御
図１２はセクタ１２３２内の少なくともいくつかのＡＴ １２０６が多数のフロー１２１６を含む実施例を例示する。ＡＴ １２０６と関連する多数のフローの間の資源は品質保証（quality assurance：ＱｏＳ）を維持する方法で割付けられる。そのような実施例において、利用可能な電力１２３８の個別の量はＡＴ １２０６上の各フロー１２１６について決定される。ＡＴ １２０６上のフロー１２１６について利用可能な電力１２３８は図１０〜１１に関連して以前に述べた方法に従って決定される。各フローは未使用のＴ２Ｐ資源をいくつかの最大のレベルまで蓄えるためのバケツを維持する。フロー・データが到着するにつれて、バケツ資源はピーク対平均（peak-to-average）アクセス制御に基づいて最大バケツ引き出し率に従ってパケットを割付けるために使用される。このように、平均資源利用はＴ２ＰＩｎｆｌｏｗ １０３５によって抑制されるが、局所的に突発的な割付けはそれらから利益を得るデータ源について行われる。ＢｕｃｋｅｔＦａｃｔｏｒと云われる、ピーク対平均制御はＡＮ １００４受信電力が各フローから如何に突発的であるかを制限する。
【００４４】
例えば、フロー１２１６に関する全体の利用可能な電力１２３８はフロー１２１６に関する現在の電力割付け１２３８ａにフロー１２１６に関する累積電力割付け１２３８ｂのいくらかの部分を加えたものを含む。その上、フロー１２１６に関する全体の利用可能な電力１２３８はフロー１２１６に関するピーク割付け１２３８ｃによって制限される。個別のバケツ機構（それは下記で述べるパラメータＢｕｃｋｅｔＬｅｖｅｌ及びＴ２ＰＩｎｆｌｏｗを利用する）は各フロー１２１６に関する全体の利用可能な電力１２３８を決定するために各フロー１２１６について維持される。ＡＴ １２０６に関する全体の利用可能な電力１２３４はＡＴ １２０６上の異なるフロー１２１６に関する全体の利用可能な電力１２３８の合計を取ることによって決定される。
【００４５】
下記はＡＴ １２０６上のフロー１２１６について全体の利用可能な電力１２３８の決定において使用される様々な公式及びアルゴリズムの数学的な記述を提供する。下記で述べる方程式において、ＡＴ １２０６上の各フローｉについて全体の利用可能な電力１２３８はサブフレーム毎に一度決定される。（いくつかの実施例において、サブフレームは４時間スロットに等しく、そして時間スロットは５／３ｍｓに等しい。）フローに関する全体の利用可能な電力１２３８はＰｏｔｅｎｔｉａｌＴ２ＰＯｕｔｆｌｏｗとして方程式において参照される。
【００４６】
高容量パケット５２４ａにおいて伝送されるフローｉに関する全体の利用可能な電力１２３８は以下のように表される：
【数１】
0005475023.tif 000002
【００４７】
低待ち時間パケット５２４ｂにおいて伝送されるフローｉに関する全体の利用可能な電力１２３８は次のように表される：
【数２】
0005475023.tif 000003
【００４８】
ＢｕｃｋｅｔＬｅｖｅｌi,n はサブフレームｎにおけるフローｉに関する累積電力割付け１２３８ｂである。Ｔ２ＰＩｎｆｌｏｗi,n はサブフレームｎにおけるフローｉに関する現在の電力割付け１２３８ａである。式ＢｕｃｋｅｔＦａｃｔｏｒ（Ｔ２ＰＩｎｆｌｏｗi, n，ＦＲＡＢi, n ）×Ｔ２ＰＩｎｆｌｏｗi, n はサブフレームｎにおけるフローｉに関するピーク電力割付け１２３８ｃである。ＢｕｃｋｅｔＦａｃｔｏｒ（Ｔ２ＰＩｎｆｌｏｗi,n，ＦＲＡＢi,n ）は全体の利用可能な電力１２３８に関する制限要素、即ち、サブフレームｎにおけるフローｉに関する全体の利用可能な電力１２３８がサブフレームｎにおけるフローｉに関する現在の電力割付け１２３８ａを越えることを許される要素を決定するための関数である。サブフレームｎにおける濾過逆方向稼働ビット（Filtered Reverse Activity Bit）フロー（ＦＡＲＢi, n ）はセクタ１２３２の負荷レベルの推定であり、下記でさらに詳細に論じる。ＡｌｌｏｃａｔｉｏｎＳｔａｇｇｅｒは同期化の問題を回避するために割付レベルを揺動させる任意の項の振幅であり、ｒn は範囲［−１，１］の実数値の一様分布乱数である。
【００４９】
サブフレームｎ＋１におけるフローｉに関する累積電力割付け１２３８ｂは次のように表される：
【数３】
0005475023.tif 000004
【００５０】
Ｔ２ＰＯｕｔｆｌｏｗi,n はサブフレームｎにおいてフローｉに分配される伝送電力４２２の一部分である。Ｔ２ＰＯｕｔｆｌｏｗi,n の典型的な方程式は下記で提供される。ＢｕｃｋｅｔＬｅｖｅｌＳａｔi, n+1 はサブフレームｎ＋１におけるフローｉに関する累積電力割付け１２３８ｂの飽和レベル１１３５である。ＢｕｃｋｅｔＬｅｖｅｌＳａｔi, n+1 の典型的な方程式は下記で提供される。
【００５１】
Ｔ２ＰＯｕｔｆｌｏｗi,n は次のように表される：
【数４】
0005475023.tif 000005
【００５２】
上記の式（４）において、ｄi,n はサブフレームｎの間に伝送されるサブパケットに含まれるフローｉからのデータの量である。（サブパケットはサブフレームの間に伝送されるパケットの一部分である。）ＳｕｍＰａｙｌｏａｄn はｄi,n の和であり、ＴｘＴ２Ｐは伝送トラヒック対パイロット・チャネル電力比率を表し、そしてＴｘＴ２Ｐn はサブフレームｎの間に伝送されるサブパケットの電力レベル４２２である。
【００５３】
ＢｕｃｋｅｔＬｅｖｅｌＳａｔi, n+1 は次のように表される：
【数５】
0005475023.tif 000006
【００５４】
ＢｕｒｓｔＤｕｒａｔｉｏｎＦａｃｔｏｒi はフローｉがピーク電力割付け１２３８ｃで伝送することを許される時間の長さに関する制限である。
【００５５】
所与の逆方向回線キャリアについてＡＮ １３０６からＡＴ １３０６上のフロー１３１６に関する現在の電力割付け１３３８ａを取得すること
いくつかの実施例において、現在の電力割付け１３３８ａを取得することは２-ステップ処理である。フロー資源は分配方式で各ＡＴ １３０６によって（自律モード）、或いは承諾１３７４を使用してＡＮ １３０４に位置する中央制御器またはスケジューラ１３４０から割付けられる。図１３はＡＴ １３０６がＡＮ １３０４によるネットワーク資源割付けの集中制御の形式を使用してＡＴ １３０６上のフロー１３１６に関する現在の電力割付け１３３８ａを取得する一方法を例示する。示したように、ＡＴ １３０６はＡＮ １３０４上で働いているスケジューラ１３４０から承諾メッセージ１３４２を受取る。承諾メッセージ１３４２はＡＴ １３０６上のいくつか、または全てのフローに関する現在の電力割付け承諾１３７４を含む。承諾１３７４は資源割付けであり（パケット当たりの割付けではない）、それはＡＮ １３０４が資源割付更新及び変更を行うことを可能にする。それはまた詳細なＱｏＳ情報の帯域内信号通信を許容する。受取られる現在の各電力割付け承諾１３７４について、ＡＴ １３０６は現在の電力割付け承諾１３７４に等しい対応するフロー１３１６に関する現在の電力割付け１３３８ａを設定する。承諾１３７４は時間区間に関して電力割付けを割付けし、そして凍結する。このように、ＡＮ １３０４はこの時期区間の間のフロー資源割付を制御する。
【００５６】
上で述べたように、フロー資源は各ＡＴ １３０６によって分配方式で（自律モード）、或いは承諾１３７４を使用してＡＮ １３０４に位置する中央制御器またはスケジューラ１３４０から割付けられる。このように、最初のステップはフロー１３１６に関する現在の電力割付け承諾１３７４がＡＮ １３０４から受取られたかどうかを決定することを必要とする。そうでなければ、ＡＴ １３０６はフロー１３１６に関する現在の電力割付け１３３８ａを自律的に決定する。即ち、ＡＴ １３０６はスケジューラ１３４０からの介入なしでフロー１３１６に関する現在の電力割付け１３３８ａを決定する。これは自律モードと云われる。次の議論はＡＴ １３０６上の一以上のフロー１３１６に関する現在の電力割付け１３３８ａを決定する典型的な方法に関係する。
【００５７】
各逆方向回線キャリアについて一以上のフローに関する現在の電力割付け１２３８ａを自律的に決定すること
図１４はＡＮ １４０４からセクタ１４３２内のＡＴ １４０６へ伝送される逆方向稼働ビット（reverse activity bit：ＲＡＢ）１４４４を例示する。アクセス・ノード１４０４は逆方向回線上で現在のトラヒック稼働の量に関係するその通信可能区域内のＡＴ １４０６に通知するためにＲＡＢを使う。このように、ＲＡＢ １４４４は過負荷標示である。ＡＴは逆方向回線上の高トラヒック負荷のためにそれらのトラヒック速度（traffic rates）を減少するかどうか、或いは逆方向回線上の低トラヒック負荷のためにそれらのトラヒック速度を増加させるどうか決定するとき、この情報を組み込む。ＲＡＢ １４４４は二つの値のうちの一つであり、セクタ１４３２が現在多忙であることを標示する第一の値（例えば、＋１）、またはセクタ１４３２が現在遊休状態であることを示す第二の値（例えば、＋１）である。下記で説明するように、ＲＡＢ １４４４はＡＴ １４０６上のフロー１２１６に関する現在の電力割付け１２３８ａを決定するために使用される。フロー１２１６はＡＴ １４０６を共有しているか、ＡＴ １４０６に亘っているか否かに拘らず、各セクタにおいて同じＲＡＢ １４４４を見ることを注目せよ。そのようなことはマルチ-フロー・シナリオに旨く合わせていく設計の単純化である。
【００５８】
各逆方向回線キャリアについて長短のＲＡＢを使用して現在の電力割付け１２３８ａを自律的に決定すること
図１５はＡＴ １５０６上の一以上のフロー１５１６に関して現在の電力割付け１２３８ａを決定するためにＡＴ １５０６において維持される情報を例示する。例示の実施例において、各フロー１５１６はＲＡＢ １４４４の「迅速な（quick）」または「短期間の（short term）」推定と関連する。この迅速な推定はＱＲＡＢ １５４６としてここでは参照される。ＱＲＡＢ １５４６を決定する典型的な方法は下記で述べる。
【００５９】
各フロー１５１６はまたセクタ１２３２の長期間（longer-term）負荷レベルの推定と関連し、ＦＲＡＢ １５４８としてここに参照されている（それは「濾過（filtered）」ＲＡＢ １４４４を表す）。ＦＲＡＢはＱＲＡＢ １５４６と類似したセクタ負荷の尺度（measure）であるが、非常に長い時定数τを持つ。このように、ＱＲＡＢは比較的瞬間的であり、一方、ＦＲＡＢ １５４８は長期間セクタ負荷情報を与える。ＦＲＡＢ １５４８はＲＡＢ １４４４の二つの可能な値、例えば、＋１及び−１の間のどこかにある実数である。しかしながら、他の数もＲＡＢ １４４４の値として使用できる。セクタ１４３２が多忙であることを標示するＲＡＢ １４４４の値にＦＲＡＢ １５４８が近くなればなるほど、セクタ１４３２はさらに重く負荷される。逆に、セクタ１４３２が遊休状態であることを標示するＲＡＢ １４４４の値にＦＲＡＢ １５４８が近くなればなるほど、セクタ１４３２はあまり重くなく負荷される。ＦＲＡＢ １５４８を決定する一例は下記で述べる。
【００６０】
各フロー１５１６はまた上方傾斜関数（upward ramping function）１５５０及び下方傾斜関数（downward ramping function）１５５２と関連する。特定のフロー１５１６と関連する上方傾斜関数１５５０及び下方傾斜関数１５５２はフロー１５１６に関する現在の電力割付け１２３８ａの関数である。フロー１５１６と関連する上方傾斜関数１５５０はフロー１５１６に関する現在の電力割付け１２３８ａの増加を決定するために使用される。逆に、フロー１５１６と関連する下方傾斜関数１５５２はフロー１５１６に関する現在の電力割付け１２３８ａの減少を決定するために使用される。いくつかの実施例において、上方傾斜関数１５５０と下方傾斜関数１５５２の両方はＦＲＡＢ １５４８の値及びフロー１５１６に関する現在の電力割付け１２３８ａに依存する。上方傾斜関数１５５０及び下方傾斜関数１５５２はＦＲＡＢの値に依存するので、それらは負荷従属傾斜関数である。従って、ＦＲＡＢは負荷定常状態Ｔ２Ｐ動態から無負荷Ｔ２Ｐ傾斜動態の分離を許容する。セクタが無負荷になるとき、より速い傾斜が迅速に、且つ滑らかにセクタ容量を充たすことが望まれる。セクタが負荷されるとき、より遅い傾斜がライズ・オーバー・サーマル（Rise-over-Thermal：ＲｏＴ）変動を低減するために望まれる。セクタにおけるＲｏＴは全体の受信電力対熱雑音電力の比として定義される。この量は測定可能で、且つ自己較正であり、そして各ＡＴ １５０６によって見られる干渉の推定を提供する。他の方法において、固定傾斜はこれらの矛盾する要求の間の見返りとして使用される。
【００６１】
上方傾斜関数１５５０及び下方傾斜関数１５５２はネットワークにおいて各フロー１５１６に関して定義され、そしてフローのＡＴ １５０６を制御するＡＮ １４０４からダウンロード可能である。上方傾斜関数及び下方傾斜関数はそれらの引数としてフローの現在の電力割付け１２３８ａを有する。上方傾斜関数１５５０はここではｇｕとして時々参照され、そして下方傾斜関数１５５２はここではｇｄとして時々参照されるであろう。我々は要求または優先度関数としてｇｕ／ｇｄの比（同じく現在の電力割付け１２３８ａの関数）を参照する。データ及びアクセス端末電力の有用性に従って、逆方向回線ＭＡＣ（ＲＬＭａｃ）方法は全てのフロー要求関数値がそれらのフロー割付けにおいて取られたとき等しくなるように、各フロー１５１６に関する現在の電力割付け１２３８ａに収斂することが実証される。この事実を使用し、そしてフロー要求関数を思慮深く設計して、集中化スケジューラによって達成可能なものとして同じフロー・レイアウトの一般的マッピング及び資源割付けへの要求を達成することが可能である。しかし、要求関数方法は最小制御信号によって、及び非集中化方式においてこの一般的な予定計画能力を達成する。上方及び下方傾斜関数は軽負荷セクタにおける急速なトラヒック対パイロット・チャネル電力（Ｔ２Ｐ）増加、セクタ容量の滑らかな充填、セクタ負荷増加に伴う低傾斜、及び負荷セクタと無負荷セクタ間のＴ２Ｐ動態の分離を可能にする。ここでは、Ｔ２Ｐはセクタ資源として使用される。一定の終了目標に関して、Ｔ２Ｐはフロー伝送速度と共におおよそ比例して増加する。
【００６２】
各逆方向回線キャリアについてＱＲＡＢ １６４６及びＦＲＡＢ １６４８を決定するために使用される要素
図１６はＱＲＡＢ １６４６及びＦＲＡＢ １６４８を決定するために使用されるＡＴ １６０６における典型的な機能要素を例示するブロック図である。示したように、ＡＴ １６０６はＲＡＢ復調器１６５４、マッパー（mapper）１６５６、第一及び第二の単極型ＩＩＲフィルタ１６５８、１６６０、及び制限デバイス１６６２を含む。
【００６３】
ＲＡＢ １６５４は通信チャネル１６６４を介してＡＮ １６０４からＡＴ １６０６に伝送される。ＲＡＢ復調器１６５４は当業者には既知の標準の技術を使用して受信信号を復調する。ＲＡＢ復調器１６５４は対数尤度比（ＬＬＲ）１６６０を出力する。マッパー１６５６はＬＬＲ １６６０を入力と取出し、そしてＲＡＢ １６６４の可能な値（例えば、＋１及び−１）の間に値にＬＬＲ １６６０を写像し、それはそのスロットに関する伝送ＲＡＢの推定である。
【００６４】
マッパー１６５６の出力は第一の単極型ＩＩＲフィルタ１６５８に提供される。第一ＩＩＲフィルタ１６５８は時定数τs を有する。第一ＩＩＲフィルタ１６５８の出力は制限デバイス１６６２に提供される。制限デバイス１６６２は第一ＩＩＲフィルタ１６５８の出力をＲＡＢ １６６４の二つの可能な値に対応して、二つの可能な値の一つに変換する。例えば、ＲＡＢ １６６４が−１か＋１のいずれかであったならば、制限デバイス１６６２は第一ＩＩＲフィルタ１６５８の出力を−１か＋１のいずれかに変換する。制限デバイス１６６２の出力はＱＲＡＢ １６４６である。時定数τs はＡＮ １６０４から伝送されたＲＡＢ １６４４の現在の値が何であるかの推定を表すように選択される。例えば、時定数の値τs は４時間スロットである。ＱＲＡＢ信頼性はＩＩＲフィルタ１６５８のフィルタリング（濾過）によって向上する。一例において、ＱＲＡＢはスロット毎に一度更新される。
【００６５】
マッパー１６５６の出力はまた時定数τ1 を持つ第二の単極型ＩＩＲフィルタ１６６０に提供される。第二ＩＩＲフィルタ１６６０の出力はＦＲＡＢ １６４８である。時定数τ1 は時定数τsよりさらに長い。時定数τ1の典型的な値は３８４時間スロットである。
【００６６】
第二ＩＩＲフィルタ１６６０の出力は制限デバイス１６６０に提供されない。従って、上で述べたように、ＦＲＡＢ １６４８はセクタ１４３２が多忙であることを示すＲＡＢ １６４４の第一の値とセクタ１４３２が遊休状態にあることを示すＲＡＢ １６４４の第二の値との間のどこかにある実数である。
【００６７】
図１７はＡＴ１２０６上のフロー１２１６に関する現在の電力割付け１２３８ａを決定するための典型的な方法を例示する。方法１７００のステップ１７０２はフロー１２１６と関連するＱＲＡＢ １５４６の値を判定することを包含する。ステップ１７０４において、ＱＲＡＢ １５４６が多忙な値（即ち、セクタ１４３２が現在多忙であることを示す値）に等しいか否が判定される。ＱＲＡＢ １５４６が多忙な値に等しければ、ステップ１７０６において、現在の電力割付け１２３８ａが減少する、即ち、時間ｎにおけるフロー１２１６に関する現在の電力割付け１２３８ａが時間ｎ−１におけるフロー１２１６に関する現在の電力割付け１２３８ａより小さい。減少の大きさはフロー１２１６について定義される下方傾斜関数１５５２を使用して計算される。
【００６８】
ＱＲＡＢ １５４６が遊休状態の値に等しければ、ステップ１７０８において、現在の電力割付け１２３８ａは増加する、即ち、現在の時間区間の間のフロー１２１６に関する現在の電力割付け１２３８ａは最も最近の時間区間の間のフロー１２１６に関する現在の電力割付け１２３８ａより大きい。増加の大きさはフロー１２１６について定義される上方傾斜関数１５５０を使用して計算される。
【００６９】
上方傾斜関数１５５０及び下方傾斜関数１５５２は現在の電力割付け１２３８ａの関数であり、そして（ＡＮ １４０４によってダウンロード可能な）各フロー１５１６について潜在的に異なる。このように、各フローについて上方１５５０及び下方１５５２傾斜関数は自律的割付けによってフロー当たりのＱｏＳ差分化を達成するために使用される。
【００７０】
傾斜関数の値はまたＦＲＡＢ １５４８によって変動し、傾斜の動態が負荷によって変動することを意味し、それはあまり負荷のない条件の下で固定点へのさらに急速な収斂、即ち、一組のＴ２ＰＩｎｆｌｏｗ割付けを許容する。収斂時間は傾斜関数の大きさに関係がある。それはまたＴｘＴ２Ｐ突発性に対する明確な制限によって突発源（bursty sources）のより良好な取扱い（高いピーク対平均処理能力）を提供する。
【００７１】
現在の電力割付け１２３８ａが増加する場合は、増加の大きさは次のように表される：
【数６】
0005475023.tif 000007
【００７２】
現在の電力割付け１２３８ａが減少する場合は、減少の大きさは次のように表される：
【数７】
0005475023.tif 000008
【００７３】
Ｔ２ＰＵｐi はフローｉに関する上方傾斜関数１５５０である。Ｔ２ＰＤｎi はフローｉに関する下方傾斜関数１５５２である。上で述べたように、各フローは優先度または要求関数、Ｔ２ＰＩｎｆｌｏｗの関数を持っており、それはＴ２ＰｕｐとＴ２Ｐｄｎ関数の比である。ＰｉｌｏｔＳｔｒｅｎｇｔｈn,s は他のセクタのパイロット電力に対するサービス・セクタのパイロット電力の指標である。いくつかの実施例において、それはサービス・セクタＦＬパイロット電力の他のセクタのパイロット電力に対する比である。ＰｉｌｏｔＳｔｒｅｎｇｔｈi は傾斜関数のＴ２Ｐ引数におけるオフセットにパイロット強度をマッピングする関数であり、そしてＡＮからダウンロード可能である。Ｔ２Ｐはトラヒック対パイロット電力比を表す。オフセットはパイロット・チャネルに相対的なトラヒック・チャネルの利得を参照する。このように、ＡＴにおけるフローの優先度はＰｉｌｏｔＳｔｒｅｎｇｔｈn,s 変数によって測定されたネットワークにおけるＡＴの位置に基づいて調整される。
【００７４】
現在の電力割付け１２３８ａは次のように表される：
【数８】
0005475023.tif 000009
【００７５】
前述の方程式に例示したように、飽和レベル１１３５に到達し、そして傾斜（ramping）がゼロに設定されれば、現在の電力割付け１２３８ａは指数的に減衰する。これは突発的トラヒック源に関する現在の電力割付け１２３８ａの値における持続を許容し、そのために持続時間は一般的なパケット相互到着時間より長くなければならない。
【００７６】
いくつかの実施例において、ＱＲＡＢ値１５４６はＡＴ １２０６の稼働集合における各セクタについて推定される。ＱＲＡＢがＡＴの稼働集合におけるどれかのセクタについて多忙であれば、現在の電力割付け１２３８ａは減少する。ＱＲＡＢがＡＴの稼働集合における全てのセクタについて遊休状態であれば、現在の電力割付け１２３８ａは増加する。代替実施例において、別のパラメータＱＲＡＢｐｓが定義される。ＱＲＡＢｐｓについて、測定パイロット強度が考慮される。（パイロット強度はサービス・セクタのパイロット電力の他のセクタのパイロットな電力に対する指標である。いくつかの実施例において、それはサービス・セクタＦＬパイロット電力の他のセクタのパイロット電力に対する比である。）ＱＲＡＢｐｓはＡＴ １２０６の稼働集合における逆方向回線干渉に対するＡＴ １２０６の寄与に応じて短期のセクタ負荷を解釈する際に使用される。ＱＲＡＢが下記の条件の一つ以上を満たすセクタｓに関して多忙であるならば、ＱＲＡＢｐｓは多忙な値に設定される：（１）セクタｓはアクセス端末に関して順方向回線サービス・セクタである；（２）セクタｓからのＤＲＣＬｏｃｋビットは固定されてなく（out-of-lock）、そしてセクタｓのＰｉｌｏｔＳｔｒｅｎｇｔｈn,s は閾値より大きい；（３）セクタｓからのＤＲＣＬｏｃｋビットは固定され（in-lock）、そしてセクタｓのＰｉｌｏｔＳｔｒｅｎｇｔｈn,s は閾値より大きい。他の場合は、ＱＲＡＢｐｓは遊休状態の値に設定される。（ＡＮ １２０４がＡＴ １２０６によって送られたＤＲＣ情報を首尾よく受取っているかどうかをＡＴ １２０６に通知するためにＡＮ １２０４はＤＲＣＬｏｃｋチャネルを使用する。例えば、ＤＲＣＬｏｃｋビット（例えば、「イエス」または「ノー」を標示する）はＤＲＣＬｏｃｋチャネル上で送られる。）ＱＲＡＢｐｓが決定される実施例において、現在の電力割付けはＱＲＡＢｐｓが遊休状態にあるときは増加し、ＱＲＡＢｐｓが多忙のときは減少する。
【００７７】
各逆方向回線キャリアに関する集中制御
図１８はＡＴ １８０６がＡＮ １８０４上でスケジューラ１８４０へ要求メッセージ１８６６を送る集中制御を含む実施例を例示する。図１８はまた承諾メッセージ１８４２をＡＴ １８０６に送るスケジューラ１８４０を例示する。いくつかの実施例において、スケジューラ１８４０は自らの主導で承諾メッセージ１８４２をＡＴ １８０６に送る。代りに、スケジューラ１８４０はＡＴ １８０６によって送られる要求メッセージ１８６６に応答して承諾メッセージ１８４２をＡＴ １８０６に送る。要求メッセージ１８６６はフロー当たりの列長さ情報と同様にＡＴ電力空き高情報を含む。
【００７８】
図１９はＡＴ １９０６がＡＮ １８０４に要求メッセージ１８６６を送るときを決定するためにＡＴ １９０６において維持される情報を例示する。示したように、ＡＴ １９０６は要求比１９６８と関連する。要求比１９６８は逆方向トラヒック・チャネル２０８上で送られた要求メッセージ・サイズ１８６６の逆方向トラヒック・チャネル２０８上で送られたデータに対する比を示す。いくつかの実施例において、要求比１９６８がある閾値以下に減少するとき、ＡＴ １９０６は要求メッセージ１８６６をスケジューラ１８４０へ送る。
【００７９】
ＡＴ １９０６はまた要求区間１９７０と関連する。要求区間１９７０は最後の要求メッセージ１８６６がスケジューラ１９４０へ送られてからの時間期間を示す。いくつかの実施例において、要求区間１９７０がある閾値以上に増加するとき、ＡＴ １９０６は要求メッセージ１８６６をスケジューラ１９４０へ送る。要求メッセージ１８６６を始動する両方の方法は共に同様に使用される（即ち、どちらの方法でもそれを引き起こすとき、要求メッセージ１８６６が送られる）。
【００８０】
図２０はＡＮ ２００４上で働いているスケジューラ２０４０とセクタ２０３２内のＡＴ ２００６との間の典型的な相互動作を例示する。図２０に示したように、スケジューラ２０４０はセクタ２０３２内のＡＴ ２００６の部分集合２０７２に関する現在の電力割付け承諾１３７４を決定する。個別の現在の電力割付け承諾１３７４は各ＡＴ ２００６について決定される。部分集合２０７２中のＡＴ ２００６が一以上のフロー１２１６を含む場合は、スケジューラ２０４０はＡＴ ２００６上のいくつか、または全てのフロー１２１６に関する個別の現在の電力割付け承諾１３７４を決定する。スケジューラ２０４０は部分集合２０７２中のＡＴ ２００６に承諾メッセージ２０４２を定期的に送る。実施例において、スケジューラ２０４０は部分集合２０７２の一部ではないセクタ２０３２内のＡＴ ２００６に関する現在の電力割付け承諾１３７４を決定しない。その代りに、セクタ２０３２中の残りのＡＴ ２００６はそれら自身の現在の電力割付け１０３８ａを決定する。承諾メッセージ２０４２はいくつかの、または全ての現在の電力割付け承諾１３７４に関する保持期間を含む。現在の電力割付け承諾１３７４に関する保持期間はＡＴ ２００６が現在の電力割付け承諾１３７４によって指定されたレベルにおいて対応するフロー１２１６に関する現在の電力割付け１２３８ａをどれだけ長く保持するかを示す。
【００８１】
図２０に例示した方法に従って、スケジューラ２０４０はセクタ２０３２における全ての容量を充たすように設計されていない。その代りに、スケジューラ２０４０は部分集合２０７２内のＡＴ ２００６に関する現在の電力割付け１０３８ａを決定し、そして残りのセクタ２０３２容量はスケジューラ２０４０から介入されることなく残りのＡＴ ２００６によって効率的に使用される。部分集合２０７２は時間とともに変化し、そして各承諾メッセージ２０４２と共にもちろん変化する。同じく、承諾メッセージ２０４２をＡＴ ２００６のある部分集合２０７２へ送る決定は、いくつかのフロー１２１６が或るＱｏＳ要求を満たしていないという検知を含めて、いくつかの外部事象によって始動される。
【００８２】
図２１はＡＮ ２１０４上で動くスケジューラ及とＡＴ ２１０６との間の別の典型的な相互動作を例示する。いくつかの実施例において、ＡＴ ２１０６がＡＴ ２１０６上のフロー２１１６に関する現在の電力割付け２１３８ａを決定することを許されるならば、現在の電力割付け２１３８ａの各々は安定状態の値にいずれは収斂するであろう。例えば、一つのＡＴ ２１０６が伝送すべきデータを持つフロー２１１６によって無負荷セクタ２１３２に入るならば、そのフロー２１１６に関する現在の電力割付け２１３８ａはそのフロー２１１６が全体のセクタ２１３２処理能力を必要とするまで増加するであろう。しかしながら、これが起こるにはしばらく時間がかかる。
【００８３】
代りの手法はスケジューラ２１４０が各ＡＴ ２１０６におけるフローが究極的に到達するであろう定常状態の値の推定を決定することである。そしてスケジューラ２１４０は承諾メッセージ２１４２を全てのＡＴ ２１０６に送る。承諾メッセージ２１４２において、フロー２１１６に関する現在の電力割付け承諾２１７４はスケジューラ２１４０によって決定されたそのフロー２１１６に関する定常状態値の推定に等しく設定される。承諾メッセージ２１４２を受取ると、ＡＴ ２１０６はＡＴ ２１０６上のフロー２１１６に関する現在の電力割付け２１３８ａを承諾メッセージ２１４２における定常状態推定２１７４に等しく設定する。一旦、これが行われれば、ＡＴ ２１０６は続いてシステム条件のあらゆる変化を追跡し、そしてスケジューラ２１４０からさらに介入されることなく、自律的にフロー２１１６に関する現在の電力割付け２１３８ａを決定することを許容される。
【００８４】
図２２はＡＮ ２２０４上のスケジューラ２２４０からＡＴ ２２０６へ伝送される承諾メッセージ２２４２の別の実施例を例示する。前と同様に、承諾メッセージ２２４２はＡＴ ２２０６上の一以上のフロー２２１６に関する現在の電力割付け承諾２２７４を含む。その上、承諾メッセージはいくつかの、または全ての現在の電力割付け承諾２２７４に関する保持期間２２７６を含む。
【００８５】
承諾メッセージ２２４２はまたＡＴ ２２０６上のいくつかの、または全てのフロー２２１６に関する累積電力割付け承諾２２７８をを含む。承諾メッセージ２２４２を受取ると、ＡＴ ２２０６はＡＴ ２２０６上のフロー２２１６に関する累積電力割付け２２３８ｂを承諾メッセージ２２４２における対応するフロー２２１６に関する累積電力割付け承諾２２７８に等しく設定する。
【００８６】
図２３はいくつかの実施例において、ＡＴ ２２０６に記憶される電力プロフィール２３８０を例示する。電力プロフィール２３８０はペイロード・サイズ４２０及びＡＴ ２３０６によってＡＮ ２０４に伝送されるパケットの電力レベル４２２を決定するために使用される。
【００８７】
電力プロフィール２３８０は複数のペイロード・サイズ２３２０を含む。電力プロフィール２３８０に含まれるペイロード・サイズ２３２０はＡＴ ２３０６によって伝送されるパケット５２４に関する可能なペイロード・サイズ２３２０である。
【００８８】
電力プロフィール２３８０における各ペイロード・サイズ２３２０は可能な各伝送モードに関する電力レベル２３２２と関連する。例示の実施例において、各ペイロード・サイズ 2320 は高容量電力レベル２３２２ａ及び低待ち時間電力レベル２３２２ｂと関連する。高容量電力レベル２３２２は対応するペイロード・サイズ２３２０を持つ高容量パケット５２４ａの電力レベルである。低待ち時間電力レベル２３２０ｂは対応するペイロード・サイズ２３２０を持つ低待ち時間パケット５２４ｂの電力レベルである。
【００８９】
図２４はＡＴ ２４０６に記憶されている複数の伝送条件２４８２を例示する。いくつかの実施例において、伝送条件２４８２はパケット５２４に関するペイロード・サイズ４２０及び電力レベル４２２の選択に影響を与える。
【００９０】
伝送条件２４８２は割付け電力条件２４８４を含む。割付け電力条件２４８４は一般にＡＴ ２４０６が割付けられたよりも多い電力を使用していないことを保証することに関係する。特に、割付け電力条件２４８４はパケット５２４の電力レベル４２２がＡＴ ２４０６に関して全体の利用可能な電力１０３４を越えないことである。ＡＴ ２４０６について全体の利用可能な電力１０３４を決定するための様々な典型的な方法は上記で論じた。
【００９１】
伝送条件２４８２はまた最大電力条件２４８６を含む。最大電力条件２４８６は、パケット５２４の電力レベル４２２がＡＴ ２４０６について指定された最大電力レベルを越えないことである。
【００９２】
伝送条件２４８２はまたデータ条件２４８８を含む。データ条件２４８８は一般にＡＴ ２４０６が現在持っている伝送に利用可能なデータの量と同様にＡＴ ２４０６の全体の利用可能な電力１０３４を考慮してパケット５２４のペイロード・サイズ４２０がそれほど大きくないことを保証することに関係する。特に、データ条件２４８８はパケット５２４の伝送モードについてさらに低い電力レベル２３２２に対応し、且つ（１）伝送のために現在利用可能であるデータの量、及び（２）ＡＴ ２４０６の全体の利用可能な電力が対応するデータの量の少ない方を搬送することができる電力プロフィールにおいてペイロード・サイズ２３２０がないことである。
【００９３】
次に伝送条件２４８２の数学式の説明をする。割付け電力条件２４８４は次のように表される：
【数９】
0005475023.tif 000010
【００９４】
ＴｘＴ２ＰＮｏｍｉｎａｌPS,TM はペイロード・サイズＰＳ及び伝送モードＴＭに関する電力レベル２３２２である。Ｆはフロー集合である。
【００９５】
最大電力条件２４８６は次のように表される：
【数１０】
0005475023.tif 000011
【００９６】
いくつかの実施例において、パケット５２４の電力レベル４２２はパケット５２４の伝送の間にある点において第一の値から第二の値へ推移することが許される。そのような実施例において、電力プロフィール２３２０において指定される電力レベル２３２２は推移前（pre-transition）の値及び推移後（post-transition）の値を含む。ＴｘＴ２ＰＰｒｅＴｒａｎｓｉｔｉｏｎPS,TM はペイロード・サイズＰＳ及び伝送モードＴＭについて推移前の値である。ＴｘＴ２ＰＰｏｓｔＴｒａｎｓｉｔｉｏｎPS,TM はペイロード・サイズＰＳ及び伝送モードＴＭについて推移後の値である。ＴｘＴ２ＰｍａｘはＡＴ ２０６について定義される最大電力レベルであり、そしてＡＴ ２０６によって測定されたＰｉｌｏｔＳｔｒｅｎｇｔｈの関数である。ＰｉｌｏｔＳｔｒｅｎｇｔｈはサービス・セクタのパイロット電力対他のセクタのパイロット電力の指標である。いくつかの実施例において、それはセクタＦＬパイロット電力の他のセクタのパイロット電力に対する比である。それはまたＡＴ ２０６が自律的に実行する上り下りの傾斜（up and down ramping）を制御するために使用される。それはまた、悪い地形にある（例えば、セクタの端における）ＡＴ ２０６が他のセクタにおいて不必要な干渉を造出することを避けるために、それらの最大送信電力を制限するように、ＴｘＴ２Ｐｍａｘを制御するために使用される。実施例において、これは順方向回線パイロット強度に基づいてｇｕ／ｇｄ傾斜を調整することによって達成される。
【００９７】
いくつかの実施例において、データ条件２４８８は、パケット５２４の伝送モードに関する低電力レベル２３２２に対応し、且つ次の式によって与えられるサイズのペイロードを搬送することが可能である電力プロフィール２３８０においてペイロード・サイズがないことである：
【数１１】
0005475023.tif 000012
【００９８】
式（１１）において、ｄi, n はサブフレームｎの間に伝送されるサブパケットに含まれるフローｉ（２６１６）からのデータの量である。式Ｔ２ＰＣｏｎｖｅｒｓｉｏｎＦａｃｔｏｒTM×ＰｏｔｅｎｔｉａｌＴ２ＰＯｕｔｆｌｏｗi,TM はフローｉに関して伝送可能なデータ、即ち、ＡＴ ２４０６に関する全体の利用可能な電力１０３４が対応するデータの量である。Ｔ２ＰＣｏｎｖｅｒｓｉｏｎＦａｃｔｏｒTM はフローｉ（２６１６）に関する全体の利用可能な電力１２３８をデータ・レベルに変換するための変換要素である。
【００９９】
図２５はＡＴ ２０６がパケット５２４に関するペイロード・サイズ４２０及び電力レベル４２２を決定するために行う典型的な方法２５００を例示する。ステップ２５０２は電力プロフィール２３８０からペイロード・サイズ２３２０を選択することを含む。ステップ２５０４はパケット５２４の伝送モードについて選択されたペイロード・サイズ２３２０に関連する電力レベル２３２２を識別することを含む。例えば、パケット５２４が高容量モードで伝送されようとしていれば、ステップ２５０４は選択ペイロード・サイズ２３２０に関連する高容量電力レベル２３２２ａを識別することを含む。逆に、パケットが低待ち時間モードで伝送されようとしていれば、ステップ２５０４は選択ペイロード・サイズ２３２０に関連する低待ち時間電力レベル２３２２ｂを識別することを含む。
【０１００】
ステップ２５０６はパケット５２４が選択ペイロード・サイズ２３２０及び対応する電力レベル２３２２とともに伝送されるならば、伝送条件２４８２が満たされているかどうかを判定することを含む。伝送条件２４８２がステップ２５０６において満たされていることが判定されれば、選択ペイロード・サイズ２３２０及び対応する電力レベル２３２２は物理層３１２に伝達される。
【０１０１】
伝送条件２４８２がステップ２５０６において満たされていないことが判定されれば、ステップ２５１０において別のペイロード・サイズ２３２０が電力プロフィール２３８０から選択される。方法２５００はそれからステップ２５０４に戻り、そして上述のように進む。
【０１０２】
マルチ-フロー割付けに関連する基礎設計機構は利用可能な全体の電力がアクセス端末２６０６における各フローに利用可能な電力の合計に等しいことである。そのようなことはアクセス端末２６０６自身がハードウェア限界（限られたＰＡ空き高）か、またはＴｘＴ２Ｐｍａｘ限界のどちらかにより、伝送電力を使い果たす点まで旨く働く。伝送電力が制限されるとき、アクセス端末２６０６におけるフロー電力割付けのさらなる調停が必要である。上で論じたように、電力限界がないとき、ｇｕ／ｇｄ要求関数はＲＡＢ及びフロー傾斜の正規関数を介して各フローの電力割付けを決定する。
【０１０３】
ＡＴ ２６０６電力が制限される状況において、フロー２６１６割付けを設定する一つの方法はＡＴ ２６０６電力限界をセクタ電力限界に厳密に類似しているとして考えることである。一般に、そのセクタはＲＡＢを設定するために使用される最大受信電力基準を有し、それはそれから各フローの電力割付けへ導くことになる。その考えは、ＡＴ ２６０６が電力制限されるとき、そのＡＴ ２６０６における各フローはＡＴ ２６０６の電力限界が実際にセクタの受信電力の対応限界であったならば、それが受取るであろう電力割付けに設定されることである。このフロー電力割付けはＡＴ ２６０６内部の仮想ＲＡＢを動かすこと、もしくは他の同等のアルゴリズムのどちらかによって、ｇｕ／ｇｄ要求関数から直接に決定される。このように、ＡＴ ２６０６内フロー優先度は保持され、そしてＡＴ ２６０６間フロー優先度と両立する。さらに、既存のｇｕ及びｇｄ関数を越えた情報は必要でない。
【０１０４】
ここに述べたいくつか、または全ての実施例の様々な特徴の要約はここに提供される。システムは平均資源割付け（Ｔ２ＰＦｌｏｗ ２６３５）の分離について、そしてこの資源がどのようにパケット割付け（ピーク速度及びピーク・バースト期間を含む）のために使用されるかを考慮する。
【０１０５】
パケット割付けは全ての場合に自律状態を維持する。平均資源割付けについて、予定された或いは自律的ないずれかの割付けが可能である。パケット５２４割付け処理は両方の場合に同じ機能をするので、これは予定された、及び自律的割付けの途切れのない統合を可能にし、平均資源は要望通りにしばしば更新される。
【０１０６】
メッセージにおける保留時間の制御は最小信号通信オーバーヘッドによる資源割付タイミングの正確な制御を可能にする。
【０１０７】
承諾メッセージにおけるＢｕｃｋｅｔＬｅｖｅｌ制御は長期にわたるその平均割付けに影響を及ぼさずにフローへの資源の迅速な注入を可能にする。これは一種の「一時使用（one-time use）」資源注入である。
【０１０８】
スケジューラ２６４０は「定点（fixed-point）」の推定、または各フロー２６１６について適切な資源割付を行い、そしてこれらの値を各フロー２６１６にダウンロードする。これはネットワークがその適切な割付けに近づく時間を減少させ（「粗（coarse）」割付け）、そしてそれから自律モードは急速に究極の割付けを達成する（「精細（fine）」割付け）。
【０１０９】
スケジューラ２６４０は承諾をフロー２６１６の部分集合に送り、そしてその他が自律割付けを実行することを可能にする。このように、資源保証は或る主要フロー（key flows）に対して行われ、したがって残りフローは適切なものとして残りの容量を自律的に「充填（fill-in）」する。
【０１１０】
スケジューラ２６４０は「見張り（shepherding）」関数を実施し、そこではフローがＱｏＳ要求を満たしていないとき、承諾メッセージのみの伝送が発生する。他の場合は、そのフローは自律的にそれ自身の電力割付けを設定することを許される。このように、ＱｏＳ保証は最小信号通信及びオーバーヘッドによって行われる。フローに関するＱｏＳ目標を達成するために、見張りスケジューラ２６４０は自律割付けの定点解と異なる電力割付けを与えることに注目せよ。
【０１１１】
ＡＮ ２６０４は上り下りの傾斜関数（ramping functions）のフロー毎の設計を指定する。これらの傾斜関数の適切な選択は各セクタにおいて１ビットの制御情報を使用して、純粋に自律的操作のみによってあらゆるフロー２６１６毎の平均資源割付けの正確な指定を可能にする。
【０１１２】
ＱＲＡＢ設計に含まれる（全てのスロットを更新され、そして各ＡＴ ２６０６において短い時定数によって濾過（フィルタ）された）非常に速いタイミングは各フローの電力割付けの非常に厳しい制御を可能にし、そして安定性及び通信区域（coverage）を維持しながら全体のセクタ容量を最大化する。
【０１１３】
ピーク電力のフロー２６１６毎の制御は平均電力割付け及びセクタ負荷（ＦＲＡＢ）の関数として許容される。これは全体のセクタ１４３２負荷及び安定性への影響と突発性トラヒックの適時性の交換条件（trading off）となる。
【０１１４】
ピーク電力率での伝送の最大期間のフロー２６１６毎制御はＢｕｒｓｔＤｕｒａｔｉｏｎＦａｃｔｏｒの使用を介して許容される。ピーク率制御と関連して、これは自律フロー割付けの中央調整をしないでセクタ１４３２安定性及びピーク負荷の制御を可能にし、そして特定の情報源（source）形式に要求を合わせることを可能にする。
【０１１５】
突発性情報源への割付けはＴ２ＰＩｎｆｌｏｗ２６３５のバケツ機構及び持続（persistence）によって取扱われ、それは平均電力の制御を維持しながら突発性情報源到着への平均電力割付けのマッピングを可能にする。Ｔ２ＰＩｎｆｌｏｗ ２６３５フィルタ時定数は、散発的パケット５２４到着が許容され、そしてＴ２ＰＩｎｆｌｏｗ ２６３５が最小割付けまで減衰する持続時間を制御する。
【０１１６】
ＦＲＡＢ１５４８へのＴ２ＰＩｎｆｌｏｗ２６３５傾斜の依存度は最終の平均電力割付けに影響を及ぼすことなく、負荷の少ないセクタ１４３２における高傾斜動態を可能にする。このように、セクタがあまり負荷のないときは、積極的な傾斜化が実行され、一方、良好な安定性は傾斜の積極性を低減することによって高負荷レベルに維持される。
【０１１７】
Ｔ２ＰＩｎｆｌｏｗ ２６３５はフロー優先度、データ要求、及び利用可能な電力に基づいて、自律動作を介して或るフロー２６１６について適切な割付けに自己調整している。フロー２６１６が過剰割付けされるとき、ＢｕｃｋｅｔＬｅｖｅｌはＢｕｃｋｅｔＬｅｖｅｌＳａｔ値に達し、上り傾斜化が止まり、そしてＴ２ＰＩｎｆｌｏｗ ２６３５値はＢｕｃｋｅｔＬｅｖｅｌがＢｕｃｋｅｔＬｅｖｅｌＳａｔ ２６３５より少ないレベルまで減衰する。これはしたがってＴ２ＰＩｎｆｌｏｗ ２６３５に関して適切な割付けである。
【０１１８】
上り／下り傾斜関数設計に基づく自律割付けにおいて利用可能なフロー毎ＱｏＳ差別化の他に、ＱＲＡＢまたはＱＲＡＢｐｓ及び傾斜化のＰｉｌｏｔＳｔｒｅｎｇｔｈへの依存性に基づいてフロー２２１６電力割付けを制御することがまた可能である。このように、悪い（poor）チャネル条件におけるフロー２６１６は低い割付けを得て、干渉を低減し、且つシステムの全体の容量を改善し、或いはチャネル条件に無関係の十分な割付けを得て、それはシステム容量を犠牲にして一様な動作を維持する。これは公平性／一般的な快適性の交換条件の制御を許容する。
【０１１９】
できる限り、各フロー２２１６に関するＡＴ ２６０６間及びＡＴ ２６０６内電力割付けの両方はできる限り位置に無関係である。これは他のどんなフロー２６１６が同じＡＴ ２６０６または他のＡＴ ２６０６にあるかは問題とならないことを意味し、フロー２２１６の割付けは全体のセクタ負荷に依存するのみである。いくつかの物理的事実、特に、最大ＡＴ ２６０６送信電力、及び高容量（ＨｉＣａｐ）及び低待ち時間（ＬｏＬａｔ）フロー２６１６の結合に関する課題は、いかに旨くこの目標が達成されるかを制約する。
【０１２０】
この手法との調和において、ＡＴ ２６０６パケット割付けに利用可能な全体の電力はＡＴ ２６０６の送信電力制限によって、ＡＴ ２６０６における各フローに利用可能な電力の合計である。
【０１２１】
どんな規定（rule）がパケット割付けに含まれる各フロー２２１６からデータ割付けを決定するために使用されるにしても、フロー２２１６の資源利用の正確な計算がバケツ引出しに関して維持される。このように、フロー２２１６間の公平性はあらゆるデータ割付け規定について保証される。
【０１２２】
ＡＴ ２６０６が電力制限され、そして全てのそのフロー２６１６に利用可能な総電力を融通できないとき、電力はＡＴ ２６０６内の利用可能なより小さい電力に適した各フローから使用される。すなわち、ＡＴ ２６０６内のフローは、それらが単にそれらのＡＴ ２６０６及びその最大電力レベルを持つセクタを共有していたかのように、相互に相対的な適切な優先度を維持する（ＡＴ ２６０６の電力限界は全体としてセクタの電力限界に類似している）。電力制限されたＡＴ ２６０６によって使い切れずにセクタに残っている電力はしたがっていつもセクタにおいて他のフロー２６１６に利用可能である。
【０１２３】
結合しないことがパケット５２４に亘って大きな電力差につながる程に、 一つのＡＴ ２６０６において可能な高容量データ利用の合計が高いとき、高容量フロー２２１６は低待ち時間伝送に結合される。これは自己干渉システムに適した伝送電力において円滑性を維持する。特定の高容量フロー２２１６ａが送信すべき同じＡＴ ２６０６において全ての低待ち時間フロー２２１６ｂを待つことができないように遅延要求を持っているとき、高容量フロー２２１６ａは低待ち時間フローに結合され、可能なデータ利用の閾値に到達すると、フローはそのデータを低待ち時間伝送に結合する。このように、高容量フロー２２１６ａの遅延必要条件は持続的な低待ち時間フロー２２１６ｂとともにＡＴ ２６０６を共有するとき満たされる。セクタの負荷が軽く、高容量フロー２２１６ａを低待ち時間フローとして送る際の効率損失が重要ではなく、従って結合が常に許されるとき、高容量フローは低待ち時間伝送に結合される。
【０１２４】
高容量モードに関するパケット・サイズがサイズで少なくともＰａｙｌｏａｄＴｈｒｅｓｈのとき、稼働低待ち時間フロー２２１６ｂがないとしても、一組の高容量フロー２２１６ａは低待ち時間モードで伝送される。ＡＴ ２６０６に関する最高処理能力は最大パケット５２４サイズ及び低待ち時間伝送モードで発生するので、それらの電力割付けが十分に高いとき、これは高容量モード・フローが最高処理能力を達成することを可能にする。別の云い方をすると、高容量伝送のピーク速度は低待ち時間伝送のそれよりも非常に低く、従って高容量モード・フロー２２１６ａは、それが最も高い処理能力を達成することが適切であるとき、低待ち時間伝送を使うことを許される。
【０１２５】
各フロー２２１６は最大の電力割付けを制限するＴ２Ｐｍａｘパラメータを持つ。おそらくネットワークにおいてその場所に依存する、ＡＴ ２６０６の総送信電力を制限することがまた望ましい（例えば、 二つのセクタの境界でＡＴ ２６０６が干渉の追加を造出し、そして安定性に影響を及ぼすとき）。パラメータＴ２ＰｍａｘはＰｉｌｏｔＳｔｒｅｎｇｔｈの関数になるように設計され、そしてＡＴ ２６０６の最大送信電力を制限する。
【０１２６】
図２６はＡＴ ２６０６の実施例を例示する機能ブロック図である。ＡＴ ２６０６はＡＴ ２６０６の動作を制御するプロセッサ２６０２を含む。プロセッサ２６０２はまたＣＰＵとも云われる。メモリ２６０５は、読出し専用メモリ（ＲＯＭ）及びランダム・アクセス・メモリ（ＲＡＭ）の両方を含み、命令（instructions）及びデータをプロセッサ２６０２に提供する。メモリ２６０５の一部はまた不揮発性ランダム・アクセス・メモリ（ＮＶＲＡＭ）を含む。
【０１２７】
ＡＴ ２６０６は、セルラー電話のような無線通信デバイスにおいて具現され、ＡＮ ２６０４のように、ＡＴ ２６０６と遠隔場所との間のオーディオ通信といったデータの伝送及び受信を可能にする送信器２６０８及び受信器２６１０を収容する筐体２６０７を含む。送信器２６０８及び受信器２６１０は送受信器２６１２に結合されている。アンテナ２６１４は筐体２６０７に取付けられ、そして送受信器２６１２と電気的に接続される。追加のアンテナもまた使用される。送信器２６０８、受信器２６１０送信器及びアンテナ２６１４の動作は当業者には周知であり、そしてここに述べる必要はない。
【０１２８】
ＡＴ ２６０６はまた送受信器２６１２によって受信された信号のレベルを検出して、定量化するために使用される信号検出器２６１６を含む。信号検出器２６１６は当業者には既知のように全体エネルギー、疑似雑音（ＰＮ）チップ毎のパイロット・エネルギー、電力スペクトル密度、及び他の信号としてそのような信号を検出する。
【０１２９】
状態変換器（state changer）２６２６は現在の状態、及び送受信器２６１２によって受信され、そして信号検出器２６１６によって検出された追加信号に基づいて無線通信デバイスの状態を制御する。無線通信デバイスはいくつかの状態のいずれにおいても動作することが可能である。
【０１３０】
ＡＴ ２６０６はまた無線通信デバイスを制御し、そしてそれが現在のサービス・プロバイダ・システムが不十分であることを決定するとき、無線通信デバイスがどちらのサービス・プロバイダ・システムに転送すべきであるかを決定するために使用されるシステム決定器２６２８を含む。
【０１３１】
ＡＴ ２６０６の様々な構成要素は電力バス、制御信号バス、及びデータ・バスの他にステータス信号バスを含むバス・システム２６３０によって連結される。しかしながら、明確にするために、様々なバスはバス・システム２６３０として図２６に例示される。ＡＴ ２６０６は信号を処理するのに使用するためのディジタル信号プロセッサ（ＤＳＰ）２６０９を含む。図６に例示したＡＴ ２６０６は特定の構成要素よりむしろ機能ブロック図であることを当業者は理解するであろう。
【０１３２】
マルチ-キャリア、マルチ-フロー、逆方向回線媒体制御
上記で述べた実施例はＴ２Ｐ領域におけるアクセスを規制し、且つ制御するためにＲＬＭＡＣバケツが各フロー２２１６について使用される単一キャリア・システムに関係する。ここに述べた様々なデバイス及び処理（processes）はまたマルチ-キャリア、マルチ-フロー・システムにおいて実施され、そこでは各アクセス端末はマルチ-キャリア（例えば、周波数帯域）上でパイロット、オーバーヘッド及びトラヒック信号を伝送する。例えば、キャリアが１．２５ＭＨｚ（メガヘルツ）の周波数帯域を持っているならば、５ＭＨｚ周波数帯域は３または４キャリアを含む。
【０１３３】
一つのマルチ-キャリア実施例において、ＡＴ ２６０６は同時に働く多数のアプリケーション・フロー２２１６を持つ。これらのアプリケーション・フローはＡＴ ２６０６においてＭＡＣ層フローにマッピングし、 そこではマッピングは（例えば、集中制御の下で）ＡＮ ２６０４によって制御される。ＡＴ ２６０６は全ての割当てられたキャリアにわたって伝送に利用可能な電力の最大総量を有する。ＡＴ ２６０６におけるＭＡＣはフロー２２１６のＱｏＳ制約（例えば、遅延、ジッター、誤り率、等々）、ネットワークの負荷制約（例えば、ＲｏＴ、各々における負荷、セクタ、等々）、等々といった様々な制約を満たすために、各割当キャリア上の各フロー２６１６への伝送のために割付けられるべき電力の量を決定する。
【０１３４】
ＡＮ ２６０４がパラメータ（そのいくつかはフローに無関係で、その他はキャリアに依存する）の集中集合を決定するようにＭＡＣは設計され、一方、ＡＴ ２６０６は各キャリアにおいて各フロー２２１６に関する物理層毎のパケット（per-physical-layer-packet）電力割付けを決定する。様々な設計目標に応じて、ＡＮ ２６０４は、集中パラメータの適切な集合を決定することによってネットワークにおける異なるキャリアに亘って、異なるＡＴ ２６０６に在駐するフロー２２１６と同様に同じＡＴ ２６０６に在駐するフロー２２１６についてフロー２２１６割付けを制御することを選択する。
【０１３５】
マルチ-キャリア・システムにおいてデータ・フローを規制すること
ＡＴ ２６０６が多数のＲＬキャリアを割当てられるとき、ＡＴ ２６０６に割当てられた各ＲＬキャリアにおけるデータ・フロー２２１６アクセス制御は、例えば図２７に例示したように、各ＭＡＣ層フローに関するトークン・バケツの二つの個別集合を使用することによってＡＴ ２６０６においてフロー２２１６データ規制（policing）から分離される。（これはフロー２２１６アクセス制御及びフロー２２１６データ規制が単一バケツ機構によって連結される単一キャリア実施例とは異なる。）アプリケーション・フロー２２１６によって生成されたデータはデータ領域において定義された規制トークン・バケツ２６３６ａによって（データ・フロー２２１６の規制のために）最初に調整される。実施例において、フロー２２１６毎に一つの規制関数（policing function）がある。規制関数はフロー２２１６によって利用される平均及びピーク資源が限界以下か等しいかを保証する。実施例において、フロー２２１６（或いは、ＡＴ ２６０６）はマルチ-キャリア・システムにおいて追加割付けを乱用することなく、そして規制はデータ領域において行われる。
【０１３６】
図２８に示した次のステップはＲＴＣ ＭＡＣ層においてフロー２２１６を規制したとき実行される。まず第一に、ＡＮ ２６０４は次のデータ・トークン・バケツ属性を構成する（ステップ３０１０）：
ＤａｔａＢｕｃｋｅｔＬｅｖｅｌＭａｘi＝ＭＡＣフローｉ（２２１６）のデータ・トークン・バケツ２６３６ａ最大サイズ（８進数）。
【０１３７】
ＤａｔａＴｏｋｅｎＩｎｆｌｏｗi＝ＭＡＣフローｉ（２２１６）に関するサブフレーム（８進数）当たりの規制バケツへのデータ・トークン流入フロー。
【０１３８】
ＤａｔａＴｏｋｅｎＯｕｔｆｌｏｗi＝ＭＡＣフローｉ（２２１６）に関するサブフレーム（８進数）当たりの規制バケツへのデータ・トークン流出フロー。
【０１３９】
次に、データ・トークン・バケツ（或いは、規制バケツ２６３６ａ）レベルＤａｔａＴｏｋｅｎＢｕｃｋｅｔｌｅｖｅｌi はそれを最大バケツ・レベルＤａｔａＴｏｋｅｎＢｕｃｋｅｔｌｅｖｅｌＭａｘi に設定することによってＭＡＣフローｉ（２２１６）の稼働化に際して初期化され（ステップ３０２０）、それは次のように表される：
【数１２】
0005475023.tif 000013
【０１４０】
続いて、全てのサブフレームｎの初めに、全ての稼働ＭＡＣフローｉ（２２１６）に関するデータ・トークン・バケツ（或いは、規制バケツ）２６３６ａからの最大許容流出フローを計算し、且つ規制バケツ２６３６ａに関する全体の利用可能な電力を最大値に等しく、或いはこの最大値が負であればゼロに設定する。規制バケツ２６３６ａのデータ流出フローに関する全体の利用可能な電力は次のように表される：
【数１３】
0005475023.tif 000014
【０１４１】
但し、ｉはＭＡＣフロー２２１６を表し、ｎはサブフレームを表し、ＤａｔａＴｏｋｅｎＩｎｆｌｏｗi はフローｉ（２２１６）に関する現在のデータ割付け２６３９ａを表し、そしてＤａｔａＴｏｋｅｎＢｕｃｋｅｔｌｅｖｅｌi, n はサブフレームｎにおけるデータ・フローｉ（２２１６）に関する累積データ割付け２６３９ｂである。
【０１４２】
次に、これが新しいパケット割付けであるかどうかを判定する（ステップ３０４０）。ステップ３０４０に対する回答が「ノー」であれば、ステップ３０６０に行く。ステップ３０４０の結果が「イエス」であれば、サブフレームｎにおける全ての割当キャリアｊにおいて新しいパケット割付けの間に次のステップ３０５０を実行する。フローｉ（２２１６）、サブフレームｎに関する規制バケツ２６３９ａの全体の利用可能なデータＰｏｔｅｎｔｉａｌＤａｔａＴｏｋｅｎＢｕｃｋｅｔＯｕｔｆｌｏｗi,n がゼロに等しければ（ステップ３０５０）、次のように表される：
【数１４】
0005475023.tif 000015
【０１４３】
続いて、高容量パケット５２４ａについてｊ番目のキャリア上のｉ番目のフローＰｏｔｅｎｔｉａｌＴ２ＰＯｕｔｆｌｏｗi, j, HCに関する全体の利用可能な電力をゼロに等しく、そして低待ち時間パケット５２４ａについてｊ番目のキャリア上のｉ番目のフロー（２２１６）ＰｏｔｅｎｔｉａｌＴ２ＰＯｕｔｆｌｏｗi, j, LLに関する全体の利用可能な電力をゼロに等しく設定する（ステップ３０５５）。これらの方程式は次のように表される：
【数１５】
0005475023.tif 000016
【０１４４】
但し、ｉはＭＡＣフロー２２１６を表し、ｊはｊ番目のキャリアを表し、ｎはサブフレームを表し、ＨＣは高容量を表し、そしてＬＬは低待ち時間を表す。
【０１４５】
ステップ３０５０の結果が「ノー」であれば、ステップ３０６０へ行く。これはフローがデータ・バケツ割付けを越えるとき、ＡＴにおいて全ての割当ＲＬキャリアにおけるフローに割付けられた電力がゼロに設定されることを保証する。
【０１４６】
次に、これがサブフレームｎの最後であれば、それが判定される（ステップ３０６０）。ステップ３０６０に対する回答が「ノー」であれば、ステップ３０３０に戻る。ステップ３０６０に対する回答が「イエス」であれば、全てのサブフレームｎの最後で、フローｉ（２２１６）に関する現在のデータ割付け２６３９ａ、ＤａｔａＴｏｋｅｎＩｎｆｌｏｗi にサブフレームｎ（２２１６）におけるデータ・フローｉ（２２１６）に関する累積データ割付け２６３９ｂ、ＤａｔａＴｏｋｅｎＢｕｃｋｅｔＬｅｖｅｌi, n を加え、サブフレームｎにおいて全キャリアｊにおけるペイロードに含まれるＭＡＣフローｉからの８進数、Σj∈Ｃｄi, j, nを差し引いたもの、またはフローｉ（２２１６）に関するデータ・トークン・バケツ２６３６ａ最大サイズ、ＤａｔａＢｕｃｋｅｔＬｅｖｅｌＭａｘi のうち最小のものにフレームｎ＋１に関するデータ・トークン・バケツ・レベルを等しく設定することによって全ての稼働ＭＡＣフローｉ（２２１６）に関するデータ・トークン・バケツ・レベルを更新する（ステップ３０７０）。これは次のように表される：
【数１６】
0005475023.tif 000017
【０１４７】
但し、ｄi, j, n＝サブフレームｎにおいてキャリアｊにおけるペイロードに含まれるＭＡＣフローｉ（２２１６）からの８進数、Ｃ＝ＡＴ ２６０６に割当てられた全キャリアの集合、Σj∈Ｃｄi, j, nはサブフレームｎにおいて全キャリアｊにおけるペイロードに含まれるＭＡＣフローｉ（２２１６）からの８進数であり、ＤａｔａＴｏｋｅｎＩｎｆｌｏｗi はフローｉ（２２１６）に関する現在のデータ割付け２６３９ａであり、ＤａｔａＴｏｋｅｎＢｕｃｋｅｔＬｅｖｅｌi, n はサブフレームｎにおいてデータ・フローｉ（２２１６）に関する累積データ割付け２６３９ｂであり、そしてＤａｔａＢｕｃｋｅｔＬｅｖｅｌＭａｘi はフローｉ（２２１６）に関するデータ・トークン・バケツ２６３６ａ最大サイズである。ステップ３０３０に戻る。
【０１４８】
このデータ領域トークン・バケツ２６３６ａの出力はそれからＴ２Ｐまたは電力領域において定義される第二トークン・バケツ２６３６ｂ集合によって調整される。これら第二のバケツ、またはフロー・アクセス・バケツ２６３６ｂは各割当キャリアにおいて各ＭＡＣフロー２２１６に関して潜在的な許容伝送電力を決定する。このように、第二のバケツ２６３６ｂの各々は割当キャリア及びキャリア上に位置するフロー２２１６を表す。このように、マルチ-キャリアの下では、フロー２２１６アクセスは割当ＲＬＭＡＣバケツの数が各フロー２２１６に割当てられたキャリアの数に等しく設定されるキャリア毎の基準で制御される。
【０１４９】
図２７はデータが最初にそのフロー２６１６についてフロー規制（或いは、情報源制御）バケツに置かれ、そしてピーク流出フロー制約に従って、一実施例において、プロセッサまたはプロセッサ手段によって実行される命令としてメモリに記憶される一組のキャリア選択規定２６３９ｃを使用して別のキャリアに割付けられるアクセス制御からフロー規制を分離する例を例示するＮキャリアの各々は１〜Ｎキャリアに対応する１〜Ｎにラベル付けされたそれ自身のアクセス制御バケツ２６３６ｂを有する。このように、バケツ２６３６ｂの数は各フロー２２１６に関する割当キャリアの数に等しく設定される。
【０１５０】
そして各キャリアにおけるフロー２２１６に関する最終の電力割付けは第二のＴ２Ｐ領域基準のトークン・バケツの出力、及び下記で定義される一組の規定を使用することによって決定される。
【０１５１】
ＡＴ ２６０６におけるキャリア選択方法
ＡＴ ２６０６は計量基準（metric）に基づいて全ての割当キャリアを順位付けする。実施例において、ＡＴ ２６０６のパイロット信号の平均送信電力（ＴｘＰｉｌｏｔＰｏｗｅｒ）はキャリア順位付け計量基準として使用される。最低平均ＴｘＰｉｌｏｔＰｏｗｅｒを持つキャリアは或るサブフレームにおける新しいパケット割付けに利用不可能であるならば、他のより低い順序付けキャリアを使用する。ＴｘＰｉｌｏｔＰｏｗｅｒを平均化するためのフィルタ時定数は次の効果がある−ＡＴ ２６０６は小さなフィルタ時定数を使用することによって短期間フェージング変動を利用する利益がある。一方、より長い時定数は各割当ＲＬキャリアにおけるＡＴ ２６０６によって見られる全体の干渉において長い時間変動を反映する。平均ＦＲＢ １５４８または平均ＴｘＰｉｌｏｔＰｏｗｅｒ及び平均ＦＲＢ １５４８の関数はまた有力な計量基準であることに注目せよ。ＡＴ ２６０６はデータ、ＰＡ空き高またはキャリアを使い果たすまで、それらの順序付けに基づいて各キャリアにパケットを割付ける。ＡＴ ２６０６がデータまたはＰＡ空き高の尽きるまで、現在の方法及び装置のマルチ-キャリアＲＴＣ ＭＡＣはそれらの順序付けに基づいて割当キャリア上で繰り返し適用される（付加または放棄される）。
【０１５２】
信号対雑音比（ＳＮＲ）もまた計量基準として使用される。ＡＴ ２６０６はより低い干渉をもつキャリアを有効利用することによって負荷均衡を達成する。ＡＴ ２６０６は同じ達成データ速度について全ての割当キャリア上で合計された伝送ビット毎に必要とされるエネルギーを最小にするさらにＥｂ／Ｎ0効率的モードにおいて動作するために割当キャリアの部分集合上で伝送する。
【０１５３】
使用される別の計量基準は干渉である。ＡＴ ２６０６は小さな時間尺度上で測定されたより低い干渉を持つキャリアに対する電力割付けを有効利用することによって可能であるとき、マルチ周波数ダイバシティ利得を得るために割当キャリアに亘って周波数選択的フェージングを利用する。ＡＴ ２６０６は大きな時間尺度上で測定されたより低い干渉を持つキャリアに対する電力割付け（または最初の割付け電力）を有効利用することによって単位電力毎に伝送されたビットの数を最大にしようとする。代りに、ＡＴ ２６０６はキャリアを適切に選択することによって可能であるとき、或るパケット５２４サイズ及び終了目標に関して伝送電力を最小にすることによって干渉効率のよい伝送を達成する。
【０１５４】
ＡＴ ２６０６によって見られる前記各割当キャリアへの干渉は送信パイロット電力または逆方向稼働ビットを測定することによって間接的に測定される。これらの二つの計量基準は時間的尺度に関して平均化される。時間的尺度はより小さい平均化による雑音計量基準への反応と過度のフィルタリングによる過度に平滑化された計量基準との間の得失（trade-off）を決定する。
【０１５５】
別の実施例において、ＡＴ ２６０６は上で論じた計量基準を含む（しかし、それに制限されない）計量基準の組合せを使用して全ての割当キャリアを順序付ける。
【０１５６】
ＡＴ ２６０６はＰＡ空き高及びおそらくデータ考察に基づいてキャリアを放棄（drop）することを決定する。一実施例において、ＡＴ ２６０６は放棄すべき（いくらかの期間において平均化した）最高ＴｘＰｉｌｏｔＰｏｗｅｒを持つキャリアを選択する。
【０１５７】
Ｅｂ／Ｎ0効率のよいモードにおけるいくつかの割当キャリアに亘る伝送はアクセス端末の同じ全体データ速度について、ビット毎に必要とされるエネルギーが非線形（凸状）領域にあるパケット・サイズを使用してより少ないキャリアにおいて伝送することと対照的に、線形領域においてビット毎に必要とされるエネルギーが有効利用されるパケット・サイズを使用してより多数のキャリアに亘って伝送することを含む。
【０１５８】
ＭＡＣ層はＡＮ ２６０４-ＡＴ ２６０６の連携によってキャリアに亘る負荷均衡を達成する。負荷均衡時間尺度は二つの部分、短期の負荷均衡及び長期の平均負荷均衡に分割される。ＡＴ ２６０６はパケット毎の基準で伝送に割当てられたキャリアの中で適切に選択をすることによって分配方式で短期の負荷均衡を達成する。短期の負荷均衡の例は次のことを含む：ｉ）ＲＡＢ １４４４またはパケット５２４が全ての割当キャリアにおいてサイズ制限されるとき、ＡＴ ２６０６水路は全割当キャリアに亘って電力を充たす；ｉｉ）電力（例えば、ＰＡ空き高）が制限されたとき、ＡＴ ２６０６は割当キャリアの部分集合上で伝送する。
【０１５９】
ＡＮ ２６０４はキャリアに亘ってフローについてＭＡＣパラメータを適切に決定することによって、そして稼働集合管理及び新しいフロー到着の時間的尺度においてキャリアをＡＴ ２６０６に適切に割付けることによって長期の負荷均衡を達成する。ＡＮ ２６０４は上で論じたようにＭＡＣフロー２２１６パラメータを適切に決定することによって各割当キャリアに亘ってネットワークにおける各フロー２２１６について公平性及び長期の電力割付けを制御する。
【０１６０】
承諾メッセージ２６４２を使用するキャリア割付け
図２９はＡＴ ２６０６がキャリア要求メッセージ２６６６をＡＮ ２６０４上でスケジューラ２６４０に送る集中制御を包含する実施例を例示する。図３０はまたキャリア承諾メッセージ２６４２をＡＴ ２６０６に送るスケジューラ２６４０を例示する。ＡＮ ２６０４及びＡＴ ２６０６はメッセージ駆動手法を使用してネットワークのために最良のキャリア割付けを見出すために連携を行う。前に論じた単一キャリアで使用される現存のＴ２ＰＩｎｆｌｏｗ要求機構に類似して、ＡＴ ２６０６及びＡＮ ２６０４はキャリア要求メッセージ２６６６及びキャリア承諾メッセージ２６４２メッセージをそれぞれ使用する。ＡＴ ２６０６-駆動モードにおいて、ＡＮ ２６０４はデータ及びＰＡ空き高が正当化するとき追加キャリアを要求するＡＴ ２６０６に頼る。ＡＴ ２６０６-駆動モードにおいて、ＡＮ ２６０４はＡＴ ２６０６にキャリアを割付けるときＡＮ ２６０４が使用するデータ、ＴｘＰｉｌｏｔＰｏｗｅｒ、ＦＬパイロット強度及びＰＡ空き高情報を全てのＡＴ ２６０６に定期的に渡す。キャリア要求２６６６及びキャリア承諾２６４２メッセージは非同期的である。ＡＴ ２６０６はキャリアの数の増加／減少についてキャリア要求メッセージ２６６６をＡＮ ２６０４に送る。同じく、ＡＴ ２６０６は回線経費を制限されるとき自律的に割当キャリアの数を減少することができるが、キャリアを放棄した後でＡＮ ２６０４に通知する。ＡＴ ２６０６はデータ及びＰＡ空き高が正当化するとき割当キャリアの数を増加させるために、そしてＰＡ空き高またはデータが現在のキャリアの数を非効率化するとき割当キャリアの数を減少させるためにキャリア要求メッセージ２６６６を送る。ＡＴ ２６０６キャリア要求メッセージ２６６６はフローＱｏＳ要求、平均待ち行列長さ、各キャリアにおける平均ＴｘＰｉｌｏｔＰｏｗｅｒ、各キャリアにおけるＦＬパイロット強度及びＰＡ空き高関連情報を含む。
【０１６１】
ＡＮ ２６０４はキャリア承諾メッセージ２６４２を使用してＡＴ ２６０６要求メッセージ情報及び負荷均衡ＦＬオーバーヘッド等の基準に基づいてキャリアを承諾する。ＡＮ ２６０４はキャリア要求メッセージ２６６６に応答してキャリア承諾メッセージ２６４２を送らないことを選ぶ。ＡＮ ２６０４はキャリア承諾メッセージ２６４２を使用していつでも各ＡＴ ２６０６のために割当キャリアを増加／減少／再割当する。同じく、ＡＮ ２６０４は負荷均衡及び効率を保証するために、或いはＦＬ要求に基づいていつでも各ＡＴ ２６０６のためにキャリアを再割当てする。ＡＮ ２６０４は各ＡＴ ２６０６のためにキャリアの数をいつでも減少させる。ＡＮ ２６０４は一つのキャリアを放棄し、そしていつでも或るＡＴ ２６０６のために別のキャリアを割当てる−他のキャリアが切替処理の間にＡＴ ２６０６において有効であるときＡＴ ２６０６サービスは中断されない。ＡＴ ２６０６はＡＮ ２６０４キャリア承諾２６４２に従う。
【０１６２】
一実施例において、キャリア毎のフロー・アクセス制御は優先度関数を使用して行われる。キャリア毎の割付けは単一キャリア・システムに使用されるものと類似しており、そして全てのキャリアに亘って同一である。端末に割当てられるキャリアの数は変わるので、ＲＴＣ ＭＡＣバケツ・パラメータを変えることは要求されない。
【０１６３】
単一キャリア実施例に関して、各キャリア上の傾斜率は最大許容可能な干渉によって制限される。
【０１６４】
キャリア割付け及び管理
マルチ-キャリア・システムにおいて、順方向回線（ＦＬ）上でＡＴに割当てられるキャリアの数はＡＮによって、例えば、ＡＮのデータ情報及びＦＬ上のＡＴと関連するＱｏＳ要求に基づいて決定される。逆方向回線（ＲＬ）上でＡＴに割当てられるキャリアの数はＡＴ及びＡＮの間の連携処理に基づき、例えば、ＡＮの各キャリア上のＲＬ負荷の情報、ＡＴのその送信電力（または電力空き高）の情報、そのバッファ状態、データ及びＲＬ上のＱｏＳ要求、等々に基づいている。ＡＴに割当てられるＲＬキャリアの数はＡＮによって、例えば、さらに下記で述べるように、ＡＴから受取った予定計画に関して、決定される。
【０１６５】
例えば、ＡＴと関連する多数のＦＬキャリア及び多数のＲＬキャリアがある。ＦＬキャリアの数はＲＬキャリアの数と同じである（例えば、対称動作モードにおいて）か、もしくはＲＬキャリアの数とは異なる（例えば、非対称動作モードにおいて）。同じく、ＡＴと関連する単一ＲＬキャリアと多数のＦＬキャリア（例えば、非対称動作モードの特別な場合）、または単一ＲＬキャリア及び単一ＦＬキャリア（例えば、対称動作モードの特別な場合）がある。さらに下で述べる例が例示するように、ＦＬ及びＲＬキャリアの割付け及び管理は動的に実行される。
【０１６６】
実施例において、 ＡＮは一以上のキャリア割付けパラメータの関数としてＡＴに割当てられるべきＦＬキャリアの数を決定し、そして割当メッセージ（例えば、ＩＳ-８５６におけるトラヒック・チャネル割当（ＴＣＡ）メッセージ、またはＷ-ＣＤＭＡ型システムにおける無線担体再構成メッセージ）を決定に基づいてＡＴに送る。
【０１６７】
ここに開示したキャリア割付けパラメータは、ＦＬ上のＡＴと関連するデータ要求（例えば、ＡＮにおけるデータ待ち行列長さに基づく）、ＦＬ上のＡＴと関連する少なくとも一つのフローと関連するＱｏＳ要求（例えば、一以上のフローと関連するＱｏＳ形式またはアプリケーション形式に基づく）、ＦＬ上で伝送されるべきＲＬ関連オーバーヘッド情報の量（例えば、ＡＴに割当てられたＲＬキャリアの数に基づく）、ＦＬ上のＡＴの位置及びセクタ内干渉（それは、例えば、平均データ速度制御（ＤＲＣ）値及びＡＴによって通報されたパイロット強度に基づいて、ＡＮによって推測される）、ＦＬ上のセクタ負荷（またはキャリア毎の平均セクタ負荷）（それはキャリア毎の基準でセクタにおけるＦＬ利用を例えば監視することによって推定される）、ＡＮに関連するハードウェア制約（例えば、多数のＦＬキャリアを伝送、追跡、且つ管理するＡＮの能力に関する）、等々の一つを含む。
【０１６８】
さらに下記に述べるように、ＡＮはまたＡＴに割当てられるべきＲＬキャリアの数を、例えば、ＡＮにおいて利用可能なＲＬ関連情報（例えば、セクタ負荷またはＲｏＴ）と共に、ＡＴから受取った予定計画情報に基づいて、決定する。
【０１６９】
実施例において、ＡＴは予定計画情報をＡＮに送り、そして予定計画情報に関連してＡＴに割当てられたキャリアの数を示す割当メッセージを受取る。
【０１７０】
ここに開示された予定計画情報は、例えば、ＲＬ上のＡＴに関連付けされたデータ要求、ＲＬ上のＡＴに関連付けされた一以上のフローに関係するＱｏＳ要求（例えば、一以上のフローに関連付けられたＱｏＳタイプやアプリケーションタイプに基づく）、ＲＬ伝送のためにＡＴにおいて利用可能な伝送電力（または電力空き高）（それは、例えば、ＡＴに割当てられたＲＬキャリアの各々に関連付けされた平均伝送パイロット電力に基づいて、決定される）、ＡＴに関連付けされたバッファ状態（status）（例えば、ＷＣＤＭＡシステムにおける）、ＲＬ上で伝送されるべきＦＬ関連オーバーヘッド情報の量（例えば、ＡＴに割当てられたＦＬキャリアの数に基づく）、ＡＴの位置及びＲＬ上のＡＴによって見られる全体の（セクタ内及びセクタ間）干渉、ＲＬに関するセクタ負荷（またはキャリア毎の平均セクタ負荷）（それをＡＴはキャリア毎の基準でセクタにおけるＲＬ利用を監視することによって決定する）、ＡＴに関連付けされたハードウェア制約（例えば、多数のキャリアを伝送、追跡、且つ管理するＡＴの能力）、等々の少なくとも一つを含む。
【０１７１】
予定計画情報はまたＡＴが持つことを望む追加のＲＬキャリアの数、またはＡＴが放棄しよとする（または放棄した）以前に割当てられたＲＬキャリアの部分集合を含む。例えば、さらに下記で示すように、ＡＴは一以上のキャリア決定パラメータの関数として必要とされるＲＬキャリアの数を決定する。
【０１７２】
ここに開示されたキャリア決定パラメータはＲＬ上のＡＴに関連付けされたデータ要求、ＲＬ上のＡＴに関連付けされた一以上のフローに関係するＱｏＳ要求（例えば、一以上のフローに関連付けられたＱｏＳタイプやアプリケーションタイプに基づく）、ＲＬ伝送のためにＡＴにおいて利用可能な伝送電力（または電力空き高）（それは、例えば、ＡＴに割当てられたＲＬキャリアの各々に関連付けされた平均伝送パイロット電力に基づいて、決定される）、ＡＴに関連付けされたバッファ状態（status）（例えば、ＷＣＤＭＡシステムにおける）、ＲＬ上で伝送されるべきＦＬ関連オーバーヘッド情報の量（例えば、ＡＴに割当てられたＦＬキャリアの数に基づく）、ＡＴの位置及びＲＬ上のＡＴによって見られる全体の（セクタ内及びセクタ間）干渉、ＲＬに関するセクタ負荷（またはキャリア毎の平均セクタ負荷）（それをＡＴはキャリア毎の基準でセクタにおけるＲＬ利用を監視することによって決定する）、ＡＴに関連付けされたハードウェア制約（例えば、多数のキャリアを伝送、追跡、且つ管理するＡＴの能力に関する）、等々の一つを含む。
【０１７３】
ここに開示されたキャリアに関連する用語「放棄する（drop）」はキャリア上の全ての伝送（例えば、パイロット・トラヒック／データ、及びオーバーヘッド・チャネルと関連する）を止める（または、終結する）ことを云う。
【０１７４】
キャリア割付け及び管理の例はさらに下記で述べる。
【０１７５】
一例において、ＡＴは初めに無作為に細く刻んだＲＬキャリア上で複数のアクセス探査子（access probes）を（例えば、全ての利用可能なＲＬキャリアに亘って別のＡＴからアクセス探査子によって造られたＲＬ負荷を一様に分配する試みとして）送る。応答において、さらに下記で例示するように、ＡＮはＡＴが以前にアクセス探査子を送ったキャリアとは異なる一以上のキャリアを割当てることを決定する。
【０１７６】
図３０はマルチ-キャリア通信システムにおけるキャリア割付け及び管理の例を例示する、呼出のフローチャート３０００を示す。ステップ３０１０において、ＡＴ ３００１は最初の、または所定のＲＬキャリア上でアクセス探査子を（例えば、ハッシュ関数によって）送る。ステップ３０２０において、ＡＮ ３００２はアクセス探査子を復号すると、アクセス・チャネル承認（省略及び簡単のためにここでは「ＡＣ-ＡＣＫ」として示す）をＡＴ ３００１に送る。ステップ３０３０において、ＡＮ ３００２は（例えば、キャリア管理アルゴリズムを実行することによって）ＡＴ ３００１に割当てられるべきＦＬ及びＲＬキャリアの数を決定する。ＡＮ ３００２はまたＡＴ ３００１が初めに探査したキャリアと異なるＡＴに割当てられるべきＦＬ及びＲＬキャリアを識別する。ステップ３０４０において、ＡＮ ３００２はＡＴ ３００１に割当てられたＦＬ及びＲＬキャリア、及びＡＴ ３００１が各々新しく割当てられたＲＬキャリア上の最初の伝送パイロット電力を決定するために使用する参照値（ここでは「ＴｘＩｎｉｔＡｊｕｓｔ」と呼ぶ）を標示する割当メッセージ（省略及び簡単のためにここでは「ＴＣＡ」として示す）を送る。ステップ３０５０において、ＡＴ ３００１はＴＣＡへのＡＣＫ（省略及び簡単のためにここでは「ＴＣＣ」として示す）をＡＮ ３００２に送る。ステップ３０６０において、ＡＴ ３００１はＴｘＩｎｉｔＡｊｕｓｔに基づいて各々新しく割当てられたＲＬキャリア上の最初の伝送パイロット電力を決定する。
【０１７７】
図３０において、例えば、ＡＴ ３００１は第一のＲＬキャリア上で最初にアクセス探査子を送る。ＡＮ ３００２は第一のＲＬキャリアに加えて、（第一のＲＬキャリアとは異なる）第二のＲＬキャリアをＡＴ ３００１に割当てる。ＡＮ ３００２はまた第一のＲＬキャリアの代わりに第二のＲＬキャリアをＡＴ ３００１に割付ける。そのような場合には、ＡＮ ３００２は第二のＲＬキャリア上で最初の伝送電力を決定するために（例えば、ＴＣＡに含まれる）ＴｘＩｎｉｔＡｊｕｓｔをＡＴ ３００１のために送る。
【０１７８】
一例において、ＡＴは最初に各々のＲＬ上で一つのキャリアを割当てられる。続いて、さらに多くのキャリアがＦＬ及び／またはＲＬ上で付加される必要がある。より多くのキャリアを加えるための始動は、例えば、より多くのデータ、及び／または改良された利用可能な伝送電力等に関連して、ＡＴによって開始される。より多くのキャリアを加えるための始動はまた、例えば、ＲＬ上の負荷条件の変化、及び／またはＡＴに関するＦＬ上の新しい稼働ＭＡＣフローに関連して、ＡＮによって開始される。
【０１７９】
図３１はより多くのキャリアをＡＴに付加する例を例示する、呼出のフローチャート３１００を示す。ステップ３１１０において、ＡＴ ３００１は（例えば、キャリア管理アルゴリズムを実行することによって）必要とされるＦＬ及びＲＬキャリアの数を決定する。その結果がより多くのキャリアが必要とされることを示すならば、ステップ３１２０において、ＡＴは要求メッセージをＡＮ ３００２に送る。ステップ３１３０において、ＡＮ ３００２は追加キャリアがＡＴ ３００１に割付けられるべきかどうかを決定する。ステップ３１４０において、ＡＮ ３００２はＡＴ ３００１に割付けられるべき追加キャリア及び各々新しく割当てられたＲＬキャリア（もし有れば）と関連するＴｘＩｎｉｔＡｊｕｓｔを標示する、ＴＣＡをＡＴ ３００１に送る。ステップ３１５０において、ＡＴ ３００１はＴＣＣをＡＮ ３００２に送る。ステップ３１６０において、ＡＴ ３００１はＴｘＩｎｉｔＡｊｕｓｔに基づいて各々新しく割当てられたＲＬキャリア上の最初の伝送電力を決定する。
【０１８０】
ＡＮ ３００２がさらに多くのキャリアの追加を開始する場合には、ＡＮ ３００２はＡＴ ３００１から受取ったメッセージ（例えば、ＩＳ-８５６型システムにおける経路更新メッセージ）からＦＬ及びＲＬ関連情報を取得する。ＡＮ ３００２は続いて（例えば、キャリア管理アルゴリズムを実行することによって）ＡＴ ３００１に割付けられるべきＦＬ及びＲＬキャリアの新しい集合を決定する。ＡＮ ３００２はさらに 例えば上で述べたように、各々新しく割当てられたＲＬキャリアのためのＴｘＩｎｉｔＡｊｕｓｔと共に）新しいキャリア割当を標示するＴＣＡをＡＴ ３００１に送る。
【０１８１】
一例において、ＡＴは初めに（または、以前に）ＦＬ及びＲＬの両方の上で多数のキャリアを割当てられる。ＡＴは続いて以前に割当てられたＲＬキャリアの部分集合を放棄することを決定する。ＡＴにおけるキャリアを放棄するための引金は様々な要素が原因で、次のことを含むが、それに限定されるものではない：
・ＡＴは回線経費制限があり、そして全ての割当ＲＬキャリア上のＲＬを首尾よく閉じる（即ち、ＲＬ上の所定のパケット誤り率を首尾よく維持する）ことができない。例えば、伝送電力制限により、ＡＴは全ての割当ＲＬキャリア上で首尾よくＡＮと通信することができない。これはＡＴが以前に割当てられたＲＬキャリアの部分集合を放棄し、且つ残りのＲＬキャリア上でＡＮと首尾よく通信するために利用可能な伝送電力を使用することを促す。
【０１８２】
・伝送電力の効率の悪さがＲＬ上に存在する。例えば、ＡＴは回線を閉じ、且つＡＮと通信するのに十分な電力を有する；しかしながら、多数のキャリアを支えることはＡＴの電力用法に関して非効率的である。そのような場合には、ＡＴは割当ＲＬキャリアの部分集合上で伝送するために利用可能な電力を使用する代りに、多数のＲＬキャリア上で伝送されるＲＬオーバーヘッド・チャネルの費用を支払わないことによって余裕がある。
【０１８３】
・ＡＴはデータ制限され、そして未使用のＲＬキャリアと関連する特別なオーバーヘッド・チャネルを伝送するための費用を支払うことを望まない。
【０１８４】
図３２は制限回線経費がいくつかのＲＬキャリアを放棄するための始動を開始する例を例示する、呼出のフローチャート３２００を示す。ステップ３２１０において、ＡＴ ３００１は利用可能な伝送電力が一以上の残りのＲＬキャリア上の回線を首尾よく閉じるのに十分なように、以前に割当てられたＲＬキャリアの部分集合を放棄する。ステップ３２２０において、ＡＴ ３００１は以前に割当てられたＲＬキャリアの部分集合及び根本要因を標示する要求メッセージをＡＮ ３００２に送る。ステップ３２３０の応答において、ＡＮ ３００２はＡＴに割当てられたＦＬキャリアの数、及びＡＴ ３００１と関連する残りのＲＬキャリアへのＦＬ関連オーバーヘッド・チャネルのマッピングを標示するＴＣＡをＡＴ ３００１に送る。
【０１８５】
図３３は伝送電力非能率がいくつかのＲＬキャリアを放棄するための始動を開始する例を例示する、呼出のフローチャートを示す。ステップ３３１０において、ＡＴ ３００１は放棄する必要がある以前に割当てられたＲＬキャリアの数を決定する。ステップ３３２０において、ＡＴ ３００１はそれが放棄しようとする以前に割当てられたＲＬキャリアの数及び根本要因を標示する要求メッセージをＡＮ ３００２に送る。ＡＴ ３００１はあらゆるＲＬキャリアを実際に放棄する前にＡＮ ３００２からの確認（または、証明）を待つ。ステップ３３３０において、ＡＮ ３００２はＡＴ ３００１に割当てられたＦＬ及びＲＬキャリアの数、及びＡＴ ３００１と関連する残りＲＬキャリアへのＦＬ関連オーバーヘッド・チャネルのマッピングを標示するＴＣＡをＡＴ ３００１に送る。ＴＣＡを受取ると、ステップ３３４０において、ＡＴ ３００１はＦＬ関連オーバーヘッド・チャネルのマッピングを行う。滑らかな伝送をするために、ステップ３３５０において、ＡＴ ３００１はいくらかの（例えば、短い）時間期間に全割当ＲＬキャリア上でＦＬ関連オーバーヘッド・チャネルを同時に伝送する。それ以降、ステップ３３６０に例示したように、ＡＴ ３００１は以前に割当てられたＲＬキャリアの全ての部分集合を放棄する。
【０１８６】
データ制限がいくつかのＲＬキャリアを放棄する始動を開始する場合には、ＡＴ ３００１はＦＬ関連オーバーヘッド・チャネルを搬送しないＲＬキャリアのみを放棄することを決定する。例えば、上に述べたように、ＡＴ ３００１は第一にＡＮ ３００２への要求メッセージにおいてそのようなことを示し、そしてＡＮ ３００２から確認（例えばＴＣＡ）を得るまであらゆるＲＬキャリアを放棄することを控える。
【０１８７】
一例において、ＡＴは最初に各々のＦＬ及びＲＬ上で単一キャリアを割当てられる。ＡＮは続いて以前に割当てられたＲＬキャリアを新しい（または別の）ものに変更することを決定する。ＡＮによるＲＬキャリア割当を変えるための始動はＡＴの位置の変更によるものであり、一方、ＡＮは、例えば、位置基準のキャリア割付けアルゴリズムを使用している。
【０１８８】
図３４はＡＮが新しいＲＬキャリア割当を開始する一例を例示する、呼出のフローチャート３４００を示す。ステップ３４１０において、ＡＴ ３００１は最初に（または前以て）各々のＦＬ及びＲＬ上で一つのキャリアを割当てられる。ステップ３４２０において、ＡＮ ３００２は、例えば、ＡＴ ３００１から受取ったメッセージ（例えば、経路更新メッセージ）から取得したＦＬ及びＲＬ関連情報（例えば、ＡＴ ３００１における伝送電力可用性、平均ＦＬ信号対干渉・雑音比（ＳＩＮＲ）に基づくＡＴの位置、等々）を取得する。そのような情報に基づいて、ＡＮ ３００２は（例えば、キャリア管理アルゴリズムを実行することによって）ＡＴのＲＬキャリアを変更することを決定する。滑らかな推移を保証するために、ステップ３４３０において、ＡＮはＡＴ ３００１に割当てられた二つの（新しものに以前のものを加えた）ＲＬキャリア、及び、例えば、短い時間期間に新しく割当てられたＲＬキャリアへのＦＬ関連オーバーヘッド・チャネルのマッピングを標示するＴＣＡをＡＴ ３００１に送る。ステップ３４５０に例示したように、ＡＮ ３００２が新しく割当てられたＲＬキャリア上の全てのＦＬ関連オーバーヘッド・チャネルを効率よく復号できることを保証した後で、ステップ３４６０に例示したように、ＡＮ ３００２は以前に割当てられたＲＬキャリアを放棄することをにＡＴ ３００１に要求するＴＣＡを送る。ステップ３４７０において、ＡＴ ３００１は以前に割当てられたＲＬキャリアを放棄する。
【０１８９】
上で述べた例は、マルチ-キャリア通信システムにおけるキャリア割付け及び管理のいくつかの実施例を提供する。他の例及び実施がある。いくつかの実施例において、例えば、ＦＬ及びＲＬキャリア割当（いくつかのキャリアを加え、または放棄することと共に）は、例えば、（上で述べたような）ＡＴによって提供された予定計画情報に関して、ＡＮによって一方的に決定される。
【０１９０】
図３５は装置３５００のブロック図を例示し、それはここに開示したいくつかの実施例を実行するために使用される。一例として、装置３５００はＡＴに割当てられるべき多数のキャリアを（例えば、上に述べたような一以上のキャリア割付けパラメータの関数として）決定するために構成されたキャリア割付けユニット３５１０；及びキャリア割付けユニット３５１０の決定に基づいてＡＴに割当メッセージを送るために構成された伝送ユニット３５２０を含む。
【０１９１】
装置３５００はさらに（上に述べたような）ＡＴから予定計画情報、アクセス探査子、及び他の情報を受取るために構成された受信ユニット３５３０を含む。キャリア割付けユニット３５１０は、例えば、ＡＴから受取った予定計画情報、アクセス探査子、及び他の情報をに関連して、ＡＴに割当てられるべきＦＬ及び／またはＲＬキャリアの数を決定するために構成される。
【０１９２】
装置３５００では、キャリア割付けユニット３５１０、送信ユニット３５２０、及び受信ユニット３５３０が通信バス３５４０と連結されている。処理ユニット３５５０及びメモリ・ユニット３５６０もまた通信バス３５４０と連結されている。処理ユニット３５５０は様々なユニットの動作を制御し、且つ／または統合するために構成される。メモリ・ユニット３５６０は処理ユニット３５５０によって実行されるべき命令を具現する。
【０１９３】
図３６は装置３６００のブロック図を例示し、それはここに開示したいくつかの実施例を実施するために使用される。一例として、装置３６００は（例えば、上で述べたような、一以上のキャリア決定パラメータの関数として）ＡＴによって必要とされるいくつかのＲＬキャリアを決定するために構成されたキャリア決定ユニット３６１０；及びキャリア決定ユニット３６１０の決定に基づいてＡＮに要求メッセージを送るために構成された送信ユニット３６２０を含む。
【０１９４】
装置３６００はさらに（上で述べたような）あらゆる新しく割当てられたＲＬキャリアのためのＴｘＩｎｉｔＡｊｕｓｔと共に、例えば、ＡＴに割当てられたキャリアの数を示す、割当メッセージをＡＮから受取るために構成された受信ユニット３６３０を含む。装置３６００はまたＴｘＩｎｉｔＡｊｕｓｔ（及び他の伝送電力調整）に基づいて各々新しく割当てられたＲＬキャリアのために最初の伝送電力を決定するために構成された電力調整ユニット３６４０を含む。送信ユニット３６２０はさらに予定計画情報、アクセス探査子、及びＡＴからＡＮへの他の情報を伝送するるために構成される。
【０１９５】
装置３６００では、キャリア決定ユニット３６１０、送信ユニット３６２０、受信ユニット３６３０、及び電力調整ユニット３６４０は通信バス３６５０と連結されるいる。処理ユニット３６６０及びメモリ・ユニット３６７０もまた通信バス３６５０と連結されるいる。処理ユニット３６５０は様々なユニットの動作を制御し、且つ／または統合するために構成されている。メモリ・ユニット３６６０は処理ユニット３６５０によって実行されるべき命令を具現する。
【０１９６】
開示した様々な実施例はマルチ-キャリア通信システムにおけるＡＮ、ＡＴ、及び他の要素において実施される。
【０１９７】
図３５及び３６の様々なユニット／モジュール及びここに開示した他の実施例はハードウェア、ソフトウェア、ファームウェア、またはそれの組合せで実施される。ハードウェア実施では、様々なユニットは一以上の特定用途向け集積回路（ＡＳＩＣ）、ディジタル信号プロセッサ（ＤＳＰ）、ディジタル信号処理デバイス（ＤＳＰＤ）、フィールド・プログラマブル・ゲートアレイ（ＦＰＧＡ）、プロセッサ、マイクロプロセッサ、コントローラ、マイクロコントローラ、プログラマブル論理デバイス（ＰＬＤ）、他の電子ユニット、またはそれのあらゆる組合せにおいて実施される。ソフトウェア実施では、、様々なユニットはここに述べた機能を実行するモジュール（例えば、手続き、関数等 ) によって実施される。ソフトウェア・コードはメモリ・ユニットに記憶され、そしてプロセッサ（または処理ユニット）によって実行される。メモリ・ユニットはプロセッサ内で実施されるか、或いはプロセッサ外で実施され、その場合には当技術分野において既知の様々な方法によって通信するためにプロセッサに接続される。
【０１９８】
開示した様々な実施例はコントローラ、ＡＴ、及び同報／マルチキャスト・サービスを提供する他の手段で実施される。ここに開示した実施例はデータ処理システム、無線通信システム、一方向の放送システム、及び情報の効率的な伝送を必要とする他のシステムに適用できる。
【０１９９】
当業者は情報及び信号が様々な異なる技術及び技法を使用して表されることを理解するであろう。例えば、上の記述の至る所で引用されるデータ、指示、命令、情報、信号、ビット、シンボル、及びチップは電圧、電流、電磁波、磁界または粒子、光学場または粒子、またはそのいくつもの組合せによって表される。
【０２００】
当業者はさらにここに開示された実施例に関連して記述された様々な例示の論理ブロック、モジュール、回路、及びアルゴリズム・ステップが電子ハードウェア、コンピュータ・ソフトウェア、または両者の組合せとして実施できることを理解するであろう。ハードウェア及びソフトウェアのこの互換性を明確に例示するために、様々な例示の構成部品、ブロック、モジュール、回路、及びステップは一般にそれらの機能性に関して上で述べられてきた。そのような機能性がハードウェアまたはソフトウェアとして実施されるかどうかは全体システムに課せられた特定のアプリケーション及び設計の制約に依存する。当業者は特定の各アプリケーションについて方法、手段を変えて機能性を実施するかもしれないが、そのような実施の決定は本発明の範囲からの離脱であると解釈されるべきでない。
【０２０１】
ここに開示された実施例に関連して記述された様々な例示の論理ブロック、モジュール、及び回路はここに述べられた機能を実行するために設計された一般用途のプロセッサ、ディジタル信号プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタ論理、個別ハードウェア部品、またはその組合せによって実施または実行される。一般用途のプロセッサはマイクロプロセッサであるが、これに代るもので、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと連動する一以上のマイクロプロセッサ、または他のそのような構成として実施される。
【０２０２】
ここに開示された実施例に関連して記述された方法またはアルゴリズムのステップは直接ハードウェアにおいて、プロセッサによって実行されるソフトウェア・モジュールにおいて、またはその二つの組合せにおいて具体化される。ソフトウェア・モジュールはランダム・アクセス・メモリ（ＲＡＭ）、フラッシュ・メモリ、読出し専用メモリ（ＲＯＭ）、電気的プログラマブルメモリ（ＥＰＲＯＭ）、電気的消去可能プログラマブル・メモリ（ＥＥＰＲＯＭ）、レジスタ、ハードディスク、リムーバブル・ディスク、ＣＤ-ＲＯＭ、または他の形の当技術分野において既知の記憶媒体に常駐される。典型的な記憶媒体はそのようなプロセッサが記憶媒体から情報を読取り、記憶媒体へ情報を書込むことができるようにプロセッサと接続される。これに代るものでは、記憶媒体はプロセッサに一体化してもよい。プロセッサ及び記憶媒体はＡＳＩＣに常駐してもよい。ＡＳＩＣはＡＴに常駐してもよい。これに代るものでは、プロセッサ及び記憶媒体はＡＴに個別部品として常駐してもよい。
【０２０３】
開示された実施例の前の記述は当業者が本発明を行い、または使用することを可能にするため提供される。これらの実施例への様々な修正は当業者には明白であり、ここに定義された一般的な原理は本発明の精神または範囲から逸脱することなく他の実施例に適用される。このように、本発明はここに示された実施例に限定されることを意図するものではないが、ここに開示された原理及び新規な特徴と合致する最も広い範囲を与えられるべきである。
【図１】
0005475023.tif 000018
【図２】
0005475023.tif 000019
【図３】
0005475023.tif 000020
【図４】
0005475023.tif 000021
【図５Ａ】
0005475023.tif 000022
【図５Ｂ】
0005475023.tif 000023
【図６】
0005475023.tif 000024
【図７】
0005475023.tif 000025
【図８】
0005475023.tif 000026
【図９】
0005475023.tif 000027
【図１０】
0005475023.tif 000028
【図１１】
0005475023.tif 000029
【図１２】
0005475023.tif 000030
【図１３】
0005475023.tif 000031
【図１４】
0005475023.tif 000032
【図１５】
0005475023.tif 000033
【図１６】
0005475023.tif 000034
【図１７】
0005475023.tif 000035
【図１８】
0005475023.tif 000036
【図１９】
0005475023.tif 000037
【図２０】
0005475023.tif 000038
【図２１】
0005475023.tif 000039
【図２２】
0005475023.tif 000040
【図２３】
0005475023.tif 000041
【図２４】
0005475023.tif 000042
【図２５】
0005475023.tif 000043
【図２６】
0005475023.tif 000044
【図２７】
0005475023.tif 000045
【図２８】
0005475023.tif 000046
【図２９】
0005475023.tif 000047
【図３０】
0005475023.tif 000048
【図３１】
0005475023.tif 000049
【図３２】
0005475023.tif 000050
【図３３】
0005475023.tif 000051
【図３４】
0005475023.tif 000052
【図３５】
0005475023.tif 000053
【図３６】
0005475023.tif 000054